(57)【特許請求の範囲】
【請求項１】
貨幣が投入される投入部と、
前記投入部から投入された貨幣を収納する収納部と、
前記収納部に収納された貨幣重量を特定する特定部と、
前記特定部により特定された貨幣重量に対応する配送料を算定する料金算定部と、
前記収納部に収納された貨幣数を取得する取得部と、
貨幣ごとの単位貨幣重量を記憶する記憶部と
を備え、
前記特定部は、
前記取得部により取得された貨幣数と前記記憶部に記憶された該貨幣の単位貨幣重量とに基づいて、前記収納部に収納された貨幣重量を特定する
ことを特徴とする貨幣処理装置。
【請求項２】
貨幣重量と配送料とを段階的に対応付けた料金テーブルを記憶する記憶部をさらに備え、
前記料金算定部は、
前記記憶部に記憶された料金テーブルに基づいて、前記特定部により特定された貨幣重量に対応する配送料を算定する
ことを特徴とする請求項１に記載の貨幣処理装置。
【請求項３】
前記特定部は、
前記収納部に配設されたセンサにて該収納部に収納された貨幣の貨幣重量を計測する
ことを特徴とする請求項２に記載の貨幣処理装置。
【請求項４】
前記貨幣重量又は前記配送料を出力する出力部をさらに備えたことを特徴とする請求項２に記載の貨幣処理装置。
【請求項５】
前記収納部に収納された貨幣重量を示す第１の貨幣重量、該第１の貨幣重量に対応する第１の手数料、該第１の手数料の次の段階の第２の手数料に対応する第２の貨幣重量、該第２の手数料、前記第２の貨幣重量と前記第１の貨幣重量の差分のうち、少なくとも２以上を出力する出力部をさらに備えたことを特徴とする請求項２に記載の貨幣処理装置。
【請求項６】
前記収納部に収納された貨幣数が所定のしきい値以上である場合に、前記投入部への貨幣の投入を制限するよう制御する制限制御部をさらに備えたことを特徴とする請求項１に記載の貨幣処理装置。
【請求項７】
利用者の属性情報を取得する属性情報取得部をさらに備え、
前記制限制御部は、
前記収納部に収納された貨幣数が所定のしきい値以上である場合に、前記属性情報取得部により取得された属性情報に応じて、前記投入部への貨幣の投入を制限するよう制御する
ことを特徴とする請求項６に記載の貨幣処理装置。
【請求項８】
前記特定部により特定された貨幣重量を累積した累積貨幣重量を記憶する累積貨幣重量記憶部をさらに備え、
前記料金算定部は、
前記累積貨幣重量記憶部に記憶された累積貨幣重量に対応する配送料を算定する
ことを特徴とする請求項１に記載の貨幣処理装置。
【請求項９】
物品の物品数を入力する物品数入力部をさらに備え、
前記料金算定部は、
前記特定部により特定された貨幣重量に対応する配送料と、前記物品数入力部により入力された物品数に対応する配送料とを算定する
ことを特徴とする請求項１に記載の貨幣処理装置。
【請求項１０】
前記物品数入力部により入力された物品数に応じて物品の量を特定する物品量特定部と、
前記物品量特定部により特定された物品量に応じて配送料を算定する物品用料金算定部と
をさらに備えたことを特徴とする請求項９に記載の貨幣処理装置。
【請求項１１】
貨幣数を受け付ける受付部と、
貨幣ごとの単位貨幣重量を記憶する記憶部と、
前記受付部により受け付けた貨幣数と前記記憶部に記憶された該貨幣の単位貨幣重量とに基づいて、取引対象となる貨幣重量を特定する特定部と、
前記特定部により特定された貨幣重量に対応する配送料を算定する料金算定部と、
収納部に収納された貨幣数を取得する取得部と
を備え、
前記特定部は、
前記取得部により取得された貨幣数と前記記憶部に記憶された該貨幣の単位貨幣重量とに基づいて、前記収納部に収納された貨幣重量を特定する
ことを特徴とする手数料算定装置。
【請求項１２】
前記特定部により特定された貨幣重量に対応する貨幣の収納用媒体とその数を特定する収納用媒体特定部をさらに備えたことを特徴とする請求項１１に記載の手数料算定装置。
【請求項１３】
所定の投入部に投入された貨幣を識別する識別ステップと、
前記識別ステップにより識別された貨幣を所定の収納部に収納する収納ステップと、
前記収納部に収納された貨幣重量を特定する特定ステップと、
前記特定ステップにより特定された貨幣重量に対応する配送料を算定する料金算定ステップと、
前記収納部に収納された貨幣数を取得する取得ステップと、
貨幣ごとの単位貨幣重量を記憶する記憶ステップと
を含み、
前記取得ステップにおいて取得された貨幣数と前記記憶ステップにおいて記憶された該貨幣の単位貨幣重量とに基づいて、前記収納部に収納された貨幣重量を特定する
ことを特徴とする貨幣処理方法。
【請求項１４】
貨幣数を受け付ける受付ステップと、
所定の記憶部に記憶された貨幣ごとの単位貨幣重量と前記受付ステップにより受け付けた貨幣数とに基づいて、取引対象となる貨幣の重量を特定する特定ステップと、
前記特定ステップにより特定された貨幣の重量に対応する配送料を算定する料金算定ステップと、
収納部に収納された貨幣数を取得する取得ステップと、
貨幣ごとの単位貨幣重量を記憶する記憶ステップと
を含み、
前記取得ステップにおいて取得された貨幣数と前記記憶ステップにおいて記憶された該貨幣の単位貨幣重量とに基づいて、前記収納部に収納された貨幣重量を特定する
ことを特徴とする手数料算定方法。
【発明の詳細な説明】
【技術分野】
【０００１】
この発明は、警送会社等の担当者による貨幣の配送に要する労力に見合う手数料を算定することができる貨幣処理装置、手数料算定装置、貨幣処理方法及び手数料算定方法に関するものである。
【背景技術】
【０００２】
従来、スーパーマーケットなどの商業施設には、売上金などの貨幣を収納する売上金入金機と呼ばれる貨幣処理装置が設けられている。この貨幣処理装置内の貨幣収納済みの貨幣カセットは、警送会社等によって定期的に現金センタへ移送される。
【０００３】
ここで、貨幣処理装置内の貨幣カセットに収納された貨幣が過剰になると、交換作業者が貨幣カセットを新たな貨幣カセットに交換する際の作業効率が低下する。このため、貨幣処理装置内の貨幣カセットに収納した貨幣の貨幣量を算出し、算出した貨幣の収納量が一定の制限値を超えた場合に、以後の貨幣の入金処理を停止するよう構成した貨幣処理装置が知られている。
【０００４】
例えば、特許文献１には、貨幣処理装置の貨幣カセットに収納された貨幣の全体重量を算出し、算出された全体重量が所定の収納容量制限値を超えた場合に、原則としてその後の貨幣の入金処理を停止するよう構成した売上金入金機が開示されている。貨幣カセットを取り扱う交換作業者に過剰な負担を掛けないようにするためである。
【０００５】
このように、この特許文献１の売上金入金機は、貨幣カセットの全体重量が所定の収納容量制限値を超えないようにすることで、交換作業者による貨幣カセットの交換作業の負担を軽減している。
【先行技術文献】
【特許文献】
【０００６】
【特許文献１】特開２０１５−１０８９０９号公報
【発明の概要】
【発明が解決しようとする課題】
【０００７】
しかしながら、警送会社等は、交換作業によって交換された貨幣カセットを現金センタまで配送する業務を行うため、交換作業者による貨幣カセットの交換作業のみに着目するのではなく、この貨幣カセットの交換作業から配送までの一連の業務の効率化を図る必要がある。
【０００８】
具体的には、貨幣カセットを配送する警送会社の配送担当者にとっては、貨幣カセットの全体重量を一定値以下にすることよりも、たとえ貨幣カセットの全体重量が収納容量制限値を超える重量になったとしても、貨幣カセットの配送を含む一連の労力に見合う手数料を徴収できるようにすることが重要となる。
【０００９】
これらのことから、警送会社等の担当者による貨幣の配送に要する労力に見合う手数料をいかに適正に算定するかが重要な課題となっている。
【００１０】
本発明は、上記従来技術の課題を解決するためになされたものであって、警送会社等の担当者による貨幣の配送に要する労力に見合う手数料を適正かつ効率良く算定することができる貨幣処理装置、手数料算定装置、貨幣処理方法及び手数料算定方法を提供することを目的とする。
【課題を解決するための手段】
【００１１】
上述した課題を解決し、目的を達成するため、本発明は、貨幣が投入される投入部と、前記投入部から投入された貨幣を収納する収納部と、前記収納部に収納された貨幣重量を特定する特定部と、前記特定部により特定された貨幣重量に対応する配送料を算定する料金算定部と、前記収納部に収納された貨幣数を取得する取得部と、貨幣ごとの単位貨幣重量を記憶する記憶部とを備え、前記特定部は、前記取得部により取得された貨幣数と前記記憶部に記憶された該貨幣の単位貨幣重量とに基づいて、前記収納部に収納された貨幣重量を特定することを特徴とする。
【００１２】
また、本発明は、上記発明において、貨幣重量と配送料とを段階的に対応付けた料金テーブルを記憶する記憶部をさらに備え、前記料金算定部は、前記記憶部に記憶された料金テーブルに基づいて、前記特定部により特定された貨幣重量に対応する配送料を算定することを特徴とする。
【００１３】
また、本発明は、上記発明において、前記特定部は、前記収納部に配設されたセンサにて該収納部に収納された貨幣の貨幣重量を計測することを特徴とする。
【００１５】
また、本発明は、上記発明において、前記貨幣重量又は前記配送料を出力する出力部をさらに備えたことを特徴とする。
【００１６】
また、本発明は、上記発明において、前記収納部に収納された貨幣重量を示す第１の貨幣重量、該第１の貨幣重量に対応する第１の手数料、該第１の手数料の次の段階の第２の手数料に対応する第２の貨幣重量、該第２の手数料、前記第２の貨幣重量と前記第１の貨幣重量の差分のうち、少なくとも２以上を出力する出力部をさらに備えたことを特徴とする。
【００１７】
また、本発明は、上記発明において、前記収納部に収納された貨幣数が所定のしきい値以上である場合に、前記投入部への貨幣の投入を制限するよう制御する制限制御部をさらに備えたことを特徴とする。
【００１８】
また、本発明は、上記発明において、利用者の属性情報を取得する属性情報取得部をさらに備え、前記制限制御部は、前記収納部に収納された貨幣数が所定のしきい値以上である場合に、前記属性情報取得部により取得された属性情報に応じて、前記投入部への貨幣の投入を制限するよう制御することを特徴とする。
【００１９】
また、本発明は、上記発明において、前記特定部により特定された貨幣重量を累積した累積貨幣重量を記憶する累積貨幣重量記憶部をさらに備え、前記料金算定部は、前記累積貨幣重量記憶部に記憶された累積貨幣重量に対応する配送料を算定することを特徴とする。
【００２０】
また、本発明は、上記発明において、物品の物品数を入力する物品数入力部をさらに備え、前記料金算定部は、前記特定部により特定された貨幣重量に対応する配送料と、前記物品数入力部により入力された物品数に対応する配送料とを算定することを特徴とする。
【００２１】
また、本発明は、上記発明において、前記物品数入力部により入力された物品数に応じて物品の量を特定する物品量特定部と、前記物品量特定部により特定された物品量に応じて配送料を算定する物品用料金算定部とをさらに備えたことを特徴とする。
【００２２】
また、本発明は、貨幣数を受け付ける受付部と、貨幣ごとの単位貨幣重量を記憶する記憶部と、前記受付部により受け付けた貨幣数と前記記憶部に記憶された該貨幣の単位貨幣重量とに基づいて、取引対象となる貨幣重量を特定する特定部と、前記特定部により特定された貨幣重量に対応する配送料を算定する料金算定部と、収納部に収納された貨幣数を取得する取得部とを備え、前記特定部は、前記取得部により取得された貨幣数と前記記憶部に記憶された該貨幣の単位貨幣重量とに基づいて、前記収納部に収納された貨幣重量を特定することを特徴とする。
【００２３】
また、本発明は、上記発明において、前記特定部により特定された貨幣重量に対応する貨幣の収納用媒体とその数を特定する収納用媒体特定部をさらに備えたことを特徴とする。
【００２４】
また、本発明は、所定の投入部に投入された貨幣を識別する識別ステップと、前記識別ステップにより識別された貨幣を所定の収納部に収納する収納ステップと、前記収納部に収納された貨幣重量を特定する特定ステップと、前記特定ステップにより特定された貨幣重量に対応する配送料を算定する料金算定ステップと、前記収納部に収納された貨幣数を取得する取得ステップと、貨幣ごとの単位貨幣重量を記憶する記憶ステップとを含み、前記取得ステップにおいて取得された貨幣数と前記記憶ステップにおいて記憶された該貨幣の単位貨幣重量とに基づいて、前記収納部に収納された貨幣重量を特定することを特徴とする。
【００２５】
また、本発明は、貨幣数を受け付ける受付ステップと、所定の記憶部に記憶された貨幣ごとの単位貨幣重量と前記受付ステップにより受け付けた貨幣数とに基づいて、取引対象となる貨幣の重量を特定する特定ステップと、前記特定ステップにより特定された貨幣の重量に対応する配送料を算定する料金算定ステップと、収納部に収納された貨幣数を取得する取得ステップと、貨幣ごとの単位貨幣重量を記憶する記憶ステップとを含み、前記取得ステップにおいて取得された貨幣数と前記記憶ステップにおいて記憶された該貨幣の単位貨幣重量とに基づいて、前記収納部に収納された貨幣重量を特定することを特徴とする。
【発明の効果】
【００２６】
本発明によれば、警送会社等の担当者による貨幣の配送に要する労力に見合う手数料を適正かつ効率良く算定することができる。
【図面の簡単な説明】
【００２７】
【図１】図１は、本発明に係る手数料算定処理を適用する３つのケースを説明するための説明図である。
【図２】図２は、実施例１に係る店舗の硬貨入金機における売上金回収の手数料の算定処理の概要を説明するための説明図である。
【図３】図３は、実施例１に係る硬貨入金機の内部構成を説明するための装置側面と平行な面で切断した断面図である。
【図４】図４は、実施例１に係る硬貨入金機の内部構成を説明するための装置前面と平行な面で切断した断面図である。
【図５】図５は、実施例１に係る硬貨入金機の内部構成を示す機能ブロック図である。
【図６】図６は、実施例１に係る硬貨入金機の記憶部に記憶されたデータの一例を示す図（１）である。
【図７】図７は、実施例１に係る硬貨入金機の記憶部に記憶されたデータの一例を示す図（２）である。
【図８】図８は、実施例１に係る硬貨入金機から硬貨を回収する場合の手数料の算定処理手順を示すフローチャートである。
【図９】図９は、実施例１に係る紙幣入金機の内部構成を説明するための装置側面と平行な面で切断した断面図である。
【図１０】図１０は、実施例１に係る紙幣入金機の内部構成を示す機能ブロック図である。
【図１１】図１１は、実施例１に係る紙幣入金機から紙幣を回収する場合の手数料の算定処理手順を示すフローチャートである。
【図１２】図１２は、実施例２に係る現金センタの硬貨計数機における売上金回収の手数料算定処理の概要を説明するための説明図である。
【図１３】図１３は、実施例２に係る硬貨計数機の内部構成を説明するための装置前面と平行な面で切断した断面図である。
【図１４】図１４は、実施例２に係る硬貨計数機の内部構成を示す機能ブロック図である。
【図１５】図１５は、実施例２に係る硬貨計数機における硬貨配送の手数料の算定処理手順を示すフローチャートである。
【図１６】図１６は、実施例２に係る紙幣計数機の内部構成を説明するための装置側面と平行な面で切断した断面図である。
【図１７】図１７は、実施例２に係る紙幣計数機の内部構成を示す機能ブロック図である。
【図１８】図１８は、実施例２に係る紙幣計数機における紙幣配送の手数料の算定処理手順を示すフローチャートである。
【図１９】図１９は、実施例３に係る現金センタの貨幣依頼受付機における釣銭準備金の配送手数料の算定処理の概要を説明するための説明図である。
【図２０】図２０は、実施例３に係る貨幣依頼受付機の内部構成を示す機能ブロック図である。
【図２１】図２１は、実施例３に係る貨幣依頼受付機の記憶部に記憶されたデータの一例を示す図である。
【図２２】図２２は、実施例３に係る貨幣依頼受付機において発行される釣銭準備金の依頼に係る伝票の内容を説明するための説明図である。
【図２３】図２３は、実施例３に係る貨幣依頼受付機における釣銭準備金の配送に係る手数料の算定処理手順を示すフローチャートである。
【図２４】図２４は、実施例４に係る貨幣依頼受付機の内部構成を示す機能ブロック図である。
【図２５】図２５は、実施例４に係る貨幣依頼受付機の記憶部に記憶されたデータの一例を示す図（１）である。
【図２６】図２６は、実施例４に係る貨幣依頼受付機の記憶部に記憶されたデータの一例を示す図（２）である。
【図２７】図２７は、実施例４に係る貨幣依頼受付機において発行される釣銭準備金の依頼に係る伝票の内容を説明するための説明図である。
【図２８】図２８は、実施例５に係る硬貨計数機の内部構成を示す機能ブロック図である。
【図２９】図２９は、実施例５に係る硬貨計数機の記憶部に記憶されたデータの一例を示す図である。
【図３０】図３０は、実施例５に係る硬貨計数機における月次の硬貨の回収に係る手数料の算定処理手順を示すフローチャートである。
【図３１】図３１は、実施例６に係る硬貨計数機の内部構成を示す機能ブロック図である。
【図３２】図３２は、実施例６に係る硬貨計数機の記憶部に記憶されたデータの一例を示す図である。
【図３３】図３３は、実施例６に係る硬貨計数機におけるグループ毎の硬貨の回収に係る手数料の算定処理手順を示すフローチャートである。
【発明を実施するための形態】
【００２８】
以下に、添付図面を参照して、本発明に係る貨幣処理装置、手数料算定装置、貨幣処理方法及び手数料算定方法の好適な実施例を詳細に説明する。
【００２９】
以下に示す実施例１〜３では、本発明に係る手数料算定処理をそれぞれ異なるケース（３つのケース）に適用した場合を示すこととする。実施例１では、店舗に配設された売上金入金機に対して本発明に係る手数料算定処理を適用したケース１を示す。実施例２では、現金センタに配設される貨幣計数機に対して本発明に係る手数料算定処理を適用したケース２を示す。実施例３では、現金センタに配設される貨幣依頼受付機に対して本発明に係る手数料算定処理を適用したケース３を示す。なお、実施例４では、実施例３の変形例を示し、実施例５及び６では実施例２の変形例を示す。
【００３０】
図１を用いて具体的に説明する。売上金入金機３が設置された店舗１と、現金センタ２とが存在する場合に、売上金入金機３から回収された現金ボックスが現金センタ２に配送される。このため、ケース１は、この売上金入金機３において売上金の配送に関する手数料算定処理を行う状況となる。具体的には、各レジに所在するレジ係員がそれぞれ売上金入金機３に売上金を入金すると、売上金入金機３に収納された貨幣が増えるため、交換作業者が売上金入金機３の貨幣カセットを定期的に交換し、交換した貨幣カセットを警送会社が現金センタ２まで移送する。この交換作業者が売上金入金機３の貨幣カセットを交換した場合に、売上金の配送に関する手数料算定処理を行う。
【００３１】
また、現金センタ２には、店舗１から回収された売上金を計数する貨幣計数機４が設けられる。このため、ケース２は、貨幣計数機４において売上金の配送に関する手数料算定処理を行う状況となる。具体的には、警送会社によって店舗１から移送された貨幣カセット内の貨幣は、現金センタ２の貨幣計数機４により計数処理される。このため、貨幣計数機４での計数処理を行った場合に、売上金の配送に関する手数料算定処理を行う。
【００３２】
さらに、現金センタ２には、貨幣依頼受付機５００が設けられる。この貨幣依頼受付機５００は、店舗１の担当者から釣銭準備金の貨幣依頼を受け付ける装置である。ケース３は、この貨幣依頼受付機５００において釣銭準備金の配送に関する手数料算定処理を行う状況となる。貨幣依頼受付機５００が店舗１の担当者の電話や端末装置によって釣銭準備金の貨幣依頼を受け付けたならば、該当する金額の釣銭準備金を店舗１に配送する作業が行われる。このため、貨幣依頼受付機５００が貨幣依頼を受け付けた場合に、釣銭準備金の配送に関する手数料算定処理を行う。
【実施例１】
【００３３】
実施例１では、図１で示した売上金入金機３において売上金の配送に関する手数料算定処理を行う場合（ケース１）について具体的に説明する。本実施例１では、まず、売上金の一部をなす硬貨の手数料を算定する場合について説明する。硬貨はその重量が重く警送会社の負担となるため、その負担に見合った手数料を算定することが重要になるためである。なお、硬貨に関する手数料の算定処理について説明した後に、紙幣に関する手数料の算定処理についても言及する。
【００３４】
また、本発明は、警送会社等の担当者が配送する貨幣量を特定し、その貨幣量に応じて手数料を算定することにより、貨幣の配送に要する労力に見合う手数料を適正かつ効率的に算定できるようにした点に特徴がある。この手数料には、貨幣の配送に要する労力に見合う配送料と、配送中の事故や犯罪による損害を補償するため保険の保険料とが含まれる。配送料は、配送する貨幣の重量に応じて算定される。また、保険料は、配送する貨幣の金額に応じて算定される。
【００３５】
まず、店舗１内に設けられた硬貨入金機１００内の硬貨を回収して現金センタ２に配送する場合について説明する。図２は、硬貨入金機１００に収納された硬貨を現金センタ２に配送する場合の手数料算定処理の概要を説明するための説明図である。
【００３６】
同図に示すように、店舗１の各レジから回収された硬貨が硬貨入金機１００の硬貨受入口に投入されると（Ｓ１）、硬貨の金種別の枚数を計数した後（Ｓ２）、この硬貨を収納繰出部１５０に搬送して収納する（Ｓ３）。
【００３７】
また、硬貨入金機１００は、硬貨を回収する所定の操作を受け付けると、収納繰出部１５０に収納される硬貨を回収ボックス１７０に搬送し、硬貨の金種別の枚数を硬貨回収データ１１５ｂとして記憶する（Ｓ４）。回収ボックス１７０には重量センサ１７１が設けられており、硬貨入金機１００は、かかる重量センサ１７１により回収ボックス１７０に収納された硬貨の重量を測定し、測定結果を硬貨重量データ１１５ｃとして記憶する（Ｓ５）。
【００３８】
硬貨入金機１００は、硬貨重量データ１１５ｃに基づいて配送料を算定し（Ｓ６）、硬貨回収データ１１５ｂに含まれる硬貨の金種別の枚数（硬貨の金額）に基づいて保険料を算定し（Ｓ７）、配送料及び保険料を含む手数料を表示部等に出力する（Ｓ８）。警送会社等の担当者は、回収ボックス１７０に収納された硬貨を回収して（Ｓ９）、現金センタ２に配送する。
【００３９】
なお、ここでは硬貨を配送する場合の手数料を算定する場合について説明したが、紙幣入金機に収納された紙幣を配送する場合の手数料を同様に算定することもできる。
【００４０】
このように、本実施例１では、重量センサにより貨幣の重量を計測し、この重量に基づいて配送料を算定するとともに、貨幣の金種別の枚数を計数し、この金種別の枚数すなわち金額に基づいて保険料を算定するよう構成することにより、警送会社等の担当者による貨幣の配送に要する労力に見合う手数料を適正かつ効率良く算定している。なお、配送料を算定するためには、重量と配送料を対応づけたテーブルを用いるか、又は所定の算定式を用いることになる。また、保険料を算定するためには、金額と保険料を対応づけたテーブルを用いるか、又は所定の算定式を用いることになる。
【００４１】
次に、実施例１に係る硬貨入金機１００の内部構成について説明する。図３は、硬貨入金機１００を装置側面と平行な面で切断した断面図であり、図４は、硬貨入金機１００を装置前面と平行な面で切断した断面図である。
【００４２】
硬貨受入口１２１は、入金対象となる硬貨の投入を受け付ける受付口である。硬貨受入口１２１に投入された硬貨は、貯留繰出部１２０に一旦貯留され、回転円盤１２２の回転に応じて１枚ずつ繰り出され、硬貨識別ユニット１３０に搬送される。硬貨識別ユニット１３０は、搬送部１３１、識別部１３２及び複数の選別部１３３を備えている。搬送部１３１は、回転円盤１２２により繰出された硬貨を識別部１３２に搬送する。識別部１３２は、硬貨の金種識別及び真偽判定を行う処理部である。また、搬送部１３１は、識別部１３２における金種識別結果及び真偽判定結果に基づいて、１０個の選別部１３３のいずれかに搬送する。選別部１３３は、金種識別結果及び真偽判定結果に基づいて硬貨を各選別部１３３に対応するシュート１３９に分岐させる。
【００４３】
図３に示すように、選別部１３３は１０個ある。搬送部１３１により搬送された硬貨は、各選別部１３３に対応するシュート１３９を介して、４個の一時保留部１４０、オーバーフロー部１４６又はリジェクト部１４７のいずれかに搬送される。搬送部１３１により搬送された硬貨のうち真正であると判定された硬貨は、金種に応じて特定される一時保留部１４０に搬送される。
【００４４】
また、図４に示すように、各一時保留部１４０は、図中に実線で示した位置（返却部１４８の上部）と、点線で示した位置（シュート１４９の上部）に移動可能である。また、一時保留部１４０は、箱状の底部分にスライド可能な底部１４３を備えており、一時保留部１４０が図中に実線で示した位置（返却部１４８の上部）にある状況で底部１４３がスライドされると、一時保留部１４０に貯留されていた硬貨は、返却部１４８に収納される。
【００４５】
また、一時保留部１４０が図中に点線で示した位置（シュート１４９の上部）にある状況で底部１４３がスライドされると、一時保留部１４０に貯留されていた硬貨は、シュート１４９を介して各一時保留部１４０に対応して設けられた収納繰出部１５０に収納される。収納繰出部１５０は、入金された貨幣を金種別に収納する部位である。
【００４６】
また、オーバーフロー部１４６は、識別部１３２により識別された硬貨の金種に対応する収納繰出部１５０がフル状態である場合に、その硬貨を収納する部位である。また、リジェクト部１４７は、識別部１３２で金種の識別ができない硬貨及び真正であると判定されない硬貨を収納する部位であり、リジェクト部１４７を引き出すことにより装置外に取り出し可能となる。
【００４７】
各収納繰出部１５０は、回転円盤１５２を備え、回転円盤１５２の回転により、収納繰出部１５０に収納された硬貨を１枚ずつシュート１５９に繰り出すことができる。かかるシュート１５９に繰り出された硬貨は、シュート１５９内を落下して回収ボックス１７０のドロア１７２に収納される。かかるドロア１７２の下部には、重量センサ１７１が設けられており、この重量センサ１７１によりドロア１７２に収納された硬貨の重量を測定することができる。回収ボックス１７０は装置から引き出すことが可能である。回収ボックス１７０が引き出されたならば、ドロア１７２に収納された硬貨が取り出し可能な状態となる。
【００４８】
次に、実施例１に係る硬貨入金機１００の内部構成について説明する。図５は、硬貨入金機１００の内部構成を示す機能ブロック図である。図５に示すように、硬貨入金機１００は、表示操作部１１０、貯留繰出部１２０、硬貨識別ユニット１３０、一時保留部１４０、リジェクト部１４７、返却部１４８、収納繰出部１５０、回収ボックス１７０、記憶部１１５及び制御部１１６を有する。表示操作部１１０は、タッチパネル式の液晶ディスプレイ等からなり、情報の表示及び入力操作の受け付けを行う装置である。
【００４９】
記憶部１１５は、ハードディスク装置や不揮発性メモリ等からなる記憶デバイスであり、硬貨在高データ１１５ａ、硬貨回収データ１１５ｂ、硬貨重量データ１１５ｃ、配送料テーブル１１５ｄ、保険料テーブル１１５ｅ及び回収実績データ１１５ｆを記憶する。
【００５０】
硬貨在高データ１１５ａは、４個の収納繰出部１５０及びオーバーフロー部１４６に収納された硬貨の金種別枚数を示すデータである。硬貨回収データ１１５ｂは、回収ボックス１７０のドロア１７２に収納された硬貨の金種別の枚数を示すデータである。硬貨重量データ１１５ｃは、ドロア１７２に収納された硬貨の重量の測定結果を示すデータである。配送料テーブル１１５ｄは、店舗１から現金センタ２に硬貨を配送する場合の配送料を算定する際に利用されるテーブルである。保険料テーブル１１５ｅは、店舗１から現金センタ２に硬貨を配送する場合の保険料を算定する際に利用されるテーブルである。回収実績データ１１５ｆは、当該装置で行われた硬貨の回収処理の実績が記録されたデータであり、回収された硬貨の数量、重量、配送料及び保険料等が含まれる。
【００５１】
制御部１１６は、硬貨入金機１００の全体を制御する制御部であり、入金処理部１１６ａ、回収処理部１１６ｂ、手数料状況表示部１１６ｃ及び手数料算定処理部１１６ｄを有する。実際には、入金処理部１１６ａ、回収処理部１１６ｂ、手数料状況表示部１１６ｃ及び手数料算定処理部１１６ｄに対応するプログラムを図示しない不揮発性メモリ等に記憶しておき、これらのプログラムをＣＰＵ（Central Processing Unit）にロードして実行することにより、対応するプロセスを実行させることになる。
【００５２】
入金処理部１１６ａは、売上金の入金処理を行う処理部である。具体的には、入金処理部１１６ａは、硬貨受入口１２１に投入された硬貨の金種識別処理及び真偽判定処理を行い、真正であると判定された硬貨の金種別枚数を計数し、計数結果に応じて硬貨在高データ１１５ａを更新する。また、入金処理部１１６ａは、真正であると判定された硬貨を収納繰出部１５０又はオーバーフロー部１４６に収納するよう制御する。また、入金処理部１１６ａは、金種が識別できない硬貨及び真正であると判定されない硬貨をリジェクト部１４７に搬送するよう制御する。
【００５３】
回収処理部１１６ｂは、収納繰出部１５０に収納された硬貨の一部又は全部を装置外に回収可能にする処理部である。具体的には、回収処理部１１６ｂは、回収対象となる硬貨の数量の指定を受け付け、受け付けた数量の硬貨を収納繰出部１５０から繰り出して回収ボックス１７０のドロア１７２に搬送する。そして、ドロア１７２に搬送した硬貨の数量に応じて硬貨回収データ１１５ｂを更新する。また、回収処理部１１６ｂは、この硬貨回収データ１１５ｂと、手数料算定処理部１１６ｄにより算定された手数料等の情報とを回収実績データ１１５ｆに登録する。また、回収処理部１１６ｂは、手数料算定処理部１１６ｄにより算定された手数料を表示操作部１１０に表示する。
【００５４】
手数料状況表示部１１６ｃは、回収ボックス１７０及び／又はオーバーフロー部１４６に収納された全ての硬貨を回収して現金センタ２に配送する場合の手数料を算定し、表示操作部１１０に手数料に係る情報を表示する処理部である。手数料状況表示部１１６ｃは、硬貨在高データ１１５ａに基づいて、収納繰出部１５０に収納された硬貨の金額を特定し、この硬貨の金額と保険料テーブル１１５ｅとから保険料を算定する。また、手数料状況表示部１１６ｃは、硬貨の金種ごとの１枚当たりの重量と、硬貨在高データ１１５ａとに基づいて、収納繰出部１５０又はオーバーフロー部１４６に収納された硬貨の重量を算出し、この硬貨の重量と配送料テーブル１１５ｄとから配送料を算定する。
【００５５】
また、配送料テーブル１１５ｄは、配送する硬貨の重量帯ごとの料金が規定されているため、手数料状況表示部１１６ｃは、その時点の硬貨の重量に対応する配送料に加えて、現在の重量帯の上限に対して許容される重量及び次の重量帯に対応する配送料も併せて表示する。また、保険料テーブル１１５ｅでは、配送する硬貨の金額帯ごとに料金が定められていることから、手数料状況表示部１１６ｃは、その時点の硬貨の金額に対応する保険料に加えて、現在の金額帯の上限に対して許容される金額及び次の金額帯に対応する保険料も併せて表示する。
【００５６】
手数料算定処理部１１６ｄは、硬貨回収データ１１５ｂに基づいてドロア１７２に収納された硬貨の金額を算出し、かかる硬貨の金額と保険料テーブル１１５ｅにより保険料を算定する。また、手数料算定処理部１１６ｄは、重量センサ１７１により測定されたドロア１７２に収納された硬貨の重量を測定し、かかる硬貨の重量と配送料テーブル１１５ｄにより配送料を算定する。
【００５７】
次に、実施例１に係る硬貨入金機１００の記憶部１１５に記憶されたデータの一例について説明する。図６及び図７は、硬貨入金機１００の記憶部１１５に記憶されたデータの一例を示す図である。
【００５８】
図６（ａ）に示す硬貨在高データ１１５ａは、硬貨の金種毎の枚数を含むデータである。図示省略したが、硬貨回収データ１１５ｂについても同様のデータ構造となる。ここでは、５００円貨が「２５０枚」であり、１００円貨が「６００枚」であり、５０円貨が「４００枚」であり、１０円貨が「３００枚」であり、５円貨が「５００枚」であり、１円貨が「７００枚」である状況を示している。
【００５９】
図６（ｂ）に示す硬貨重量データ１１５ｃは、ドロア１７２に収納された硬貨の回収重量を示すデータである。ここでは、ドロア１７２に収納された硬貨の回収重量が「１０．２ｋｇ」である状況を示している。
【００６０】
図６（ｃ）に示す配送料テーブル１１５ｄは、硬貨の重量帯と配送料とを関連付けたデータである。ここでは、「１ｋｇ」未満の配送料が「１５００円」であり、「１ｋｇ」以上で「３ｋｇ」未満の配送料が「１７００円」であり、「３ｋｇ」以上で「５ｋｇ」未満の配送料が「１９００円」であり、「５ｋｇ」以上で「１０ｋｇ」未満の配送料が「２１００円」であり、「１０ｋｇ」以上で「１５ｋｇ」未満の配送料が「２３００円」であり、「１５ｋｇ」以上で「２５ｋｇ」未満の配送料が「２５００円」である状況を示している。また、硬貨の重量帯の上限を設けた場合には、この上限の重量帯を超える入金処理が制限される。
【００６１】
図６（ｄ）に示す保険料テーブル１１５ｅは、配送される硬貨の金額帯と保険料とを関連付けたデータである。ここでは、「１０万円」未満の保険料が「５００円」であり、「１０万円」以上「５０万円」未満の保険料が「１０００円」であり、「５０万円」以上「２００万円」未満の保険料が「１５００円」であり、「２００万円」以上「５００万円」未満の保険料が「２４００円」であり、「５００万円」以上「１０００万円」未満の保険料が「４０００円」であり、「１０００万円」以上「１５００万円」未満の保険料が「５０００円」である状況を示している。
【００６２】
図７に示す回収実績データ１１５ｆは、店舗ＩＤ、回収金額、配送料、保険料、配送した貨幣の重量及び回収した貨幣の金種別枚数を回収日時に関連付けたデータである。ここでは、回収日時が「２０１５／１０／１５  ２０：５０」に関連づけられた回収実績データ１１５ｆを図示している。また、店舗ＩＤが「１００」であり、回収金額が「１２０３６０円」であり、配送料が「２１００円」であり、保険料が「１０００円」であり、配送した貨幣の重量が「６．８ｋｇ」である状況を示している。また、回収された金種別の枚数について、５００円貨が「１２０枚」であり、１００円貨が「４００枚」であり、５０円貨が「３００枚」であり、１０円貨が「４３０枚」であり、５円貨が「１２０枚」であり、１円貨が「４６０枚」である状況を示している。
【００６３】
次に、実施例１に係る硬貨入金機１００に売上金として収納された硬貨を回収する場合の手数料の算定処理手順について説明する。図８は、硬貨入金機１００から硬貨を回収する場合の手数料の算定処理手順を示すフローチャートである。
【００６４】
回収処理部１１６ｂは、装置内に収められた硬貨を回収する旨の指示を受け付けると、
収納繰出部１５０から回収対象の硬貨を回収ボックス１７０のドロア１７２に搬送し、ドロア１７２に搬送した硬貨の金種別枚数を硬貨回収データ１１５ｂに登録する（ステップＳ１０１）。回収処理部１１６ｂは、重量センサ１７１によりドロア１７２に収められた硬貨の重量を測定し、硬貨重量データ１１５ｃとして記憶する（ステップＳ１０２）。
【００６５】
手数料算定処理部１１６ｄは、硬貨重量データ１１５ｃと配送料テーブル１１５ｄに基づいて配送料を算定し（ステップＳ１０３）、硬貨回収データ１１５ｂより算出される回収対象の貨幣の金額と保険料テーブル１１５ｅに基づいて保険料を算定する（ステップＳ１０４）。また、手数料算定処理部１１６ｄは、算定された配送料及び保険料を含む手数料を表示操作部１１０に表示する（ステップＳ１０５）。
【００６６】
回収処理部１１６ｂは、回収ボックス１７０のドロア１７２からの硬貨が回収されたか否かを検知するようにして（ステップＳ１０６）、硬貨が回収されたことを検知したならば（ステップＳ１０７；Ｙｅｓ）、回収された硬貨の金額、回収された硬貨の重量、配送料、保険料及び回収された硬貨の金種別の枚数等を含む回収実績を回収実績データ１１５ｆに登録して（ステップＳ１０８）、処理を終了する。また、硬貨の回収が検知されていないならば（ステップＳ１０７；Ｎｏ）、ステップＳ１０６に戻ることにより、回収ボックス１７０のドロア１７２から硬貨が回収されることを待ち合わせる。
【００６７】
次に、実施例１に係る紙幣入金機２００の内部構成について説明する。図９は、紙幣入金機２００を装置側面と平行な面で切断した断面図である。
【００６８】
紙幣受入口２２１は、入金対処の紙幣の投入を受け付ける受付口である。紙幣受入口２２１に投入された紙幣は、１枚ずつ搬送部２３１に繰り出される。搬送部２３１は、その搬送路に識別部２３２を有する。識別部２３２は、搬送部２３１で搬送される紙幣の金種識別及び真偽判定を行う処理部である。搬送部２３１は、識別部２３２の金種識別結果又は真偽判定結果に基づいて、収納繰出部２５０、リジェクト部２２６又は収納部２５１の何れかに紙幣を搬送する。収納繰出部２５０は、識別部２３２で金種の識別が行われ、真券であると判定された紙幣を、金種別に収納する収納部である。リジェクト部２２６は、識別部２３２で金種の識別ができなかった紙幣や、識別部２３２で真正な紙幣と判定されなかった紙幣が搬送される集積部であり、装置外部から紙幣を取り出すことができる構造となっている。収納部２５１は、識別部２３２で金種の識別が行われ、真券であると判定された紙幣のうち、金種に応じた収納繰出部２５０がフル状態である場合に、その紙幣を収納する部位である。
【００６９】
また、紙幣入金機２００は、紙幣の払い出しも行える装置であり、出金取出口２４７及びリジェクトボックス２４６を備えている。出金取出口２４７は、収納繰出部２５０から繰り出されて払い出された紙幣を取り出す口である。リジェクトボックス２４６は、紙幣の払い出し処理において、収納繰出部２５０から繰り出された紙幣であっても、払い出すことができないようなリジェクト紙幣を収納する収納部である。
【００７０】
また、収納部２５１は、装置の前扉を開けることにより取り出すことができるような構造となっている。また、収納部２５１は、紙幣入金機２００の内部に収められた紙幣を回収する場合に利用される部位であり、その場合には収納繰出部２５０に収められた回収対象の紙幣を収納部２５１に収集し、そのうえで収納部２５１を取り出すことにより回収対象の紙幣を装置から取り出すことができる。また、収納部２５１の下方には重量センサ２７１を備えている。重量センサ２７１は、収納部２５１に収納された紙幣の重量を測定するセンサである。
【００７１】
次に、実施例１に係る紙幣入金機２００の内部構成について説明する。図１０は、紙幣入金機２００の内部構成を示す機能ブロック図である。図１０に示すように。紙幣入金機２００は、表示操作部２１０、紙幣受入口２２１、出金取出口２４７、搬送部２３１、識別部２３２、リジェクトボックス２４６、リジェクト部２２６、収納繰出部２５０、収納部２５１、重量センサ２７１、記憶部２１５及び制御部２１６を有する。表示操作部２１０は、タッチパネル式の液晶ディスプレイ等からなり、情報の表示及び入力操作の受け付けを行う装置である。
【００７２】
記憶部２１５は、ハードディスク装置や不揮発性メモリ等からなる記憶デバイスであり、紙幣在高データ２１５ａ、紙幣回収データ２１５ｂ、紙幣重量データ２１５ｃ、配送料テーブル２１５ｄ、保険料テーブル２１５ｅ及び回収実績データ２１５ｆを記憶する。
【００７３】
紙幣在高データ２１５ａは、５個の収納繰出部２５０に収納されている紙幣の金種別枚数を示すデータである。紙幣回収データ２１５ｂは、収納部２５１に収納された紙幣の金種別枚数を示すデータである。紙幣重量データ２１５ｃは、収納部２５１に収納された紙幣の重量の測定結果を示すデータである。配送料テーブル２１５ｄは、店舗１から現金センタ２に紙幣を配送する場合の配送料を算定する際に利用されるテーブルである。保険料テーブル２１５ｅは、店舗１から現金センタ２に紙幣を配送する場合の保険料を算定する際に利用されるテーブルである。回収実績データ２１５ｆは、当該装置で行われた紙幣の回収処理の実績が記録されたデータであり、回収された紙幣の数量、重量、配送料及び保険料等が含まれる。
【００７４】
制御部２１６は、紙幣入金機２００の全体を制御する制御部であり、入金処理部２１６ａ、回収処理部２１６ｂ、手数料状況表示部２１６ｃ及び手数料算定処理部２１６ｄを有する。実際には、入金処理部２１６ａ、回収処理部２１６ｂ、手数料状況表示部２１６ｃ及び手数料算定処理部２１６ｄに対応するプログラムを図示しない不揮発性メモリ等に記憶しておき、これらのプログラムをＣＰＵにロードして実行することにより、対応するプロセスを実行させることになる。
【００７５】
入金処理部２１６ａは、売上金の入金処理を行う処理部である。具体的には、入金処理部２１６ａは、紙幣受入口２２１に投入された紙幣の金種識別処理及び真偽判定処理を行い、真正であると判定された紙幣の金種別枚数を計数し、計数結果に応じて紙幣在高データ２１５ａを更新する。ただし、収納部２５１に収納した紙幣の金種別枚数は、紙幣回収データ２１５ｂに反映する。また、入金処理部２１６ａは、真正であると判定された紙幣を収納繰出部２５０又は収納部２５１に収納するよう制御する。また、入金処理部２１６ａは、金種が識別できない紙幣及び真正であるとは判定されない紙幣をリジェクト部２２６に搬送するよう制御する。
【００７６】
回収処理部２１６ｂは、収納繰出部２５０に収納された紙幣の一部又は全部を収納部２５１に搬送し、収納部２５１に収納された紙幣を回収可能にする処理部である。具体的には、回収処理部２１６ｂは、回収対象となる紙幣の数量の指定を受け付け、収納部２５１に収められる紙幣が指定された数量となるように、収納繰出部２５０から紙幣を繰り出して収納部２５１に搬送した紙幣の数量に応じて紙幣回収データ２１５ｂを更新する。また、回収処理部２１６ｂは、この紙幣回収データ２１５ｂと、手数料算定処理部２１６ｄにより算定された手数料等の情報とを回収実績データ２１５ｆに登録する。また、回収処理部２１６ｂは、手数料算定処理部２１６ｄにより算定された手数料を表示操作部２１０に表示する。
【００７７】
手数料状況表示部２１６ｃは、収納繰出部２５０又は収納部２５１に収納された全ての紙幣を回収して現金センタ２に配送する場合の手数料を算定し、表示操作部２１０に手数料に係る情報を表示する処理部である。手数料状況表示部２１６ｃは、紙幣在高データ２１５ａ及び紙幣回収データ２１５ｂに基づいて、収納繰出部２５０及び紙幣回収データ２１５ｂに収納された紙幣の金額を特定し、この紙幣の金額と保険料テーブル２１５ｅとから保険料を算定する。また、手数料状況表示部２１６ｃは、紙幣の金種ごとの１枚当たりの重量と、紙幣在高データ２１５ａ及び紙幣回収データ２１５ｂとに基づいて収納繰出部２５０又は収納部２５１に収納された紙幣の重量を算出し、かかる紙幣の重量と配送料テーブル２１５ｄとから配送料を算定する。
【００７８】
また、配送料テーブル２１５ｄは、配送する硬貨の重量帯ごとの料金が規定されているため、手数料状況表示部２１６ｃは、その時点の紙幣の重量に対応する配送料に加えて、現在の重量帯の上限に対して許容される重量及び次の重量帯に対応する配送料も併せて表示する。また、保険料テーブル２１５ｅでは、配送する紙幣の金額帯ごとに料金が定められていることから、手数料状況表示部２１６ｃは、その時点の紙幣の金額に対応する保険料に加えて、現在の金額帯の上限に対して許容される金額及び次の金額帯に対応する保険料も併せて表示する。
【００７９】
手数料算定処理部２１６ｄは、紙幣回収データ２１５ｂに基づいて収納部２５１に収納された紙幣の金額を算出し、かかる紙幣の金額と保険料テーブル２１５ｅにより保険料を算定する。また、手数料算定処理部２１６ｄは、重量センサ２７１により測定された収納部２５１に収納された紙幣の重量を測定し、かかる紙幣の重量と配送料テーブル２１５ｄにより配送料を算定する。なお、重量センサ２７１を用いる代わりに、紙幣の金種別の１枚あたりの重量と紙幣の枚数から収納部２５１に収納された紙幣の重量を算定することもできる。
【００８０】
次に、実施例１に係る紙幣入金機２００における売上金として収納された紙幣を回収する場合の手数料の算定処理手順について説明する。図１１は、紙幣入金機２００から紙幣を回収する場合の手数料の算定処理手順を示すフローチャートである。
【００８１】
回収処理部２１６ｂは、装置内に収められた紙幣を回収する旨の指示を受け付けると、収納繰出部２５０から回収対象の紙幣を収納部２５１に搬送し、収納部２５１に搬送した紙幣の金種別枚数を紙幣回収データ２１５ｂに加算する（ステップＳ２０１）。回収処理部２１６ｂは、重量センサ２７１により収納部２５１に収められた紙幣の重量を測定し、紙幣重量データ２１５ｃとして記憶する（ステップＳ２０２）。
【００８２】
手数料算定処理部２１６ｄは、紙幣重量データ２１５ｃと配送料テーブル２１５ｄに基づいて配送料を算定し（ステップＳ２０３）、紙幣回収データ２１５ｂより算出される回収対象の紙幣の金額と保険料テーブル２１５ｅに基づいて保険料を算定する（ステップＳ２０４）。また、手数料算定処理部２１６ｄは、算定された配送料及び保険料を含む手数料を表示操作部２１０に表示する（ステップＳ２０５）。
【００８３】
回収処理部２１６ｂは、収納部２５１に収められた紙幣が回収されたか否かを検知するようにして（ステップＳ２０６）、紙幣が回収されたことを検知したならば（ステップＳ２０７；Ｙｅｓ）、回収された紙幣の金額、回収された紙幣の重量、配送料、保険料及び回収された紙幣の金種別の枚数等を含む回収実績情報を回収実績データ２１５ｆに登録して（ステップＳ２０８）、処理を終了する。また、紙幣の回収が検知されていないならば（ステップＳ２０７；Ｎｏ）、ステップＳ２０６に戻ることにより、収納部２５１から紙幣が回収されることを待ち合わせる。
【００８４】
上述してきたように、実施例１では、回収対象の貨幣の金種別枚数を計数し、回収対象の貨幣の重量を重量センサ１７１、２７１を用いて測定し、回収対象の貨幣の金種別枚数に対応する金額に基づいて保険料を算定し、貨幣の重量に基づいて配送料を算定し、手数料は保険料と配送料に基づいて算定するようにした。かかる構成により、警送会社の担当者が取り扱う貨幣の配送に要する労力に見合った手数料を適正かつ効率良く算定することができる。
【００８５】
なお、実施例１では、硬貨入金機１００と紙幣入金機２００が別々の装置である場合を説明してきたが、本発明はこれに限定されるものではない。例えば、硬貨入金機１００と紙幣入金機２００が一体となった装置で、回収する紙幣と硬貨の総額に基づいて保険料を算定し、回収する紙幣と硬貨の総重量に基づいて配送料を算定するようにしてもよい。また、例えば、硬貨入金機１００と紙幣入金機２００が別々の装置であっても、硬貨入金機１００から回収する硬貨の金額と重量を紙幣入金機２００に通知して、紙幣入金機２００で回収する紙幣と硬貨の総額に基づいて保険料を算定し、回収する紙幣と硬貨の総重量に基づいて配送料を算定するようにしてもよい。また、紙幣入金機２００から回収する紙幣の金額と重量を硬貨入金機１００に通知するようにしてもよい。また、硬貨入金機１００及び紙幣入金機２００以外に管理装置を設け、硬貨入金機１００から回収する硬貨の金額と重量を管理装置に通知して、紙幣入金機２００から回収する紙幣の金額と重量を管理装置に通知し、管理装置で回収する紙幣と硬貨の総額に基づいて保険料を算定し、回収する紙幣と硬貨の総重量に基づいて配送料を算定するようにしてもよい。
【実施例２】
【００８６】
実施例１では、店舗１に配設される硬貨入金機１００及び紙幣入金機２００において、店舗１から現金センタ２への売上金の配送に係る配送料及び保険料を算定する場合について説明した。実施例２では、現金センタ２に配設され、店舗１から回収された貨幣を計数する装置を用いて売上金の配送に係る配送料及び保険料を算定する場合について説明する。実施例２においても、実施例１と同様に、まず、売上金の一部をなす硬貨の手数料を算定する場合について説明し、その後に紙幣に関する手数料の算定処理についても言及する。
【００８７】
まず、実施例２に係る現金センタ２の硬貨計数機３００における売上金回収の手数料算定処理の概要について説明する。図１２は、現金センタ２の硬貨計数機３００における売上金回収の手数料算定処理の概要を説明するための説明図である。
【００８８】
硬貨計数機３００は、店舗１から現金センタ２に配送されてきた硬貨の硬貨投入口に対する投入を受け付けると（Ｓ１１）、投入された硬貨の金種別の枚数を計数し、かかる計数結果を硬貨計数データ３１５ａとして記憶部に記憶する（Ｓ１２）。また、硬貨計数機３００は、計数された硬貨を収納部３５０又は混合金種収納部３５１に収納する（Ｓ１３）。
【００８９】
また、硬貨計数機３００は、硬貨計数データ３１５ａと、硬貨の金種別の１枚当たりの重量とにより、投入された硬貨の重量を算出し、その算出結果を硬貨重量データ３１５ｂとして記憶部に記憶する（Ｓ１４）。硬貨計数機３００は、かかる硬貨重量データ３１５ｂに基づいて配送料を算定し（Ｓ１５）、投入された硬貨の金額に基づいて保険料を算定し（Ｓ１６）、配送料及び保険料を含む手数料を表示部等に出力する（Ｓ１７）。
【００９０】
図１２では、店舗１から現金センタ２へ硬貨を配送する場合の手数料について説明したが、紙幣計数機で紙幣を配送する場合の手数料を算定することもできる。このように、配送された貨幣の金種別枚数を計数し、配送された貨幣の重量を算出し、配送された貨幣の金種別枚数に対応する金額に基づいて保険料を算定し、配送された貨幣の重量に基づいて配送料を算定し、手数料は保険料と配送料に基づいて算定するようにした。かかる構成により、警送会社の担当者が取り扱う貨幣の配送に要する労力に見合った手数料を適正かつ効率良く算定することができる。
【００９１】
次に、実施例２に係る硬貨計数機３００の内部構成について説明する。図１３は、硬貨計数機３００を装置前面と平行な面で切断した断面図である。
【００９２】
硬貨計数機３００は、計数対象の硬貨を投入するための硬貨投入口３２１を備える。硬貨投入口３２１に投入された硬貨は、硬貨識別ユニット３３０において金種識別処理、真偽判定処理及び真正な硬貨であると判定された硬貨の金種別の枚数の計数処理が行われる。かかる硬貨識別ユニット３３０で金種識別及び真偽判定が行われた硬貨は、金種識別処理結果及び真偽判定処理結果に応じて選別部３３２を介してシュート３３７、３３８、３３９に振り分けられる。
【００９３】
選別部３３２は、硬貨識別ユニット３３０で金種の識別ができなかった硬貨や、真正な硬貨ではないと判定された硬貨についてはシュート３３９に振り分ける。図１３に示すように、シュート３３９は、振り分けられた硬貨をリジェクト部３４７に搬送する。リジェクト部３４７は、硬貨投入口３２１に投入された硬貨のうち、金種の識別ができなかった硬貨や、真正な硬貨ではないと判定された硬貨が搬送される部位である。
【００９４】
また、選別部３３２は、硬貨識別ユニット３３０で真正と判定された硬貨について、金種識別結果に対応する収納部３５０がフル状態である場合には混合金種が貯留される一時保留部３４１に対応するシュート３３８に振り分ける。また、選別部３３２は、硬貨識別ユニット３３０で真正と判定された硬貨について、金種識別結果に対応する収納部３５０がフル状態ではない場合には、金種別に設けられた一時保留部３４０に対応するシュート３３７に振り分ける。
【００９５】
一時保留部３４０、３４１は、その箱状の底部分にスライド可能な底板３４２を備えており、底板３４２をスライドすることにより一時保留部３４０、３４１に貯留されていた硬貨をシュート３４８、３４９を介して各一時保留部３４０、３４１に対して設けられる収納部３５０又は混合金種収納部３５１に搬送することになる。収納部３５０は、金種に対応して設けられた部位であり、混合金種収納部３５１は、金種別に設けられた収納部３５０に収めることができなかったオーバーフロー硬貨を収納するための部位である。
【００９６】
また、図１３に示すように、硬貨計数機３００は、表示部３１０、操作部３１１及びプリンタ部３１２を備えている。表示部３１０は液晶ディプレイ等の表示装置である。操作部３１１は、キーボードやマウス等の入力装置である。また、プリンタ部３１２は、レーザプリンタや感熱式のプリンタなどであって、当該硬貨計数機３００における処理結果を紙媒体に対して印刷するための装置である。
【００９７】
次に、実施例２に係る硬貨計数機３００の内部構成について説明する。図１４は、硬貨計数機３００の内部構成を示す機能ブロック図である。図１４に示すように、硬貨計数機３００は、表示部３１０、操作部３１１、プリンタ部３１２、硬貨投入口３２１、硬貨識別ユニット３３０、一時保留部３４０、３４１、リジェクト部３４７、収納部３５０、混合金種収納部３５１、記憶部３１５及び制御部３１６を有する。
【００９８】
記憶部３１５は、ハードディスク装置や不揮発性メモリ等からなる記憶デバイスであり、硬貨計数データ３１５ａ、硬貨重量データ３１５ｂ、配送料テーブル３１５ｃ、保険料テーブル３１５ｄ及び計数実績データ３１５ｅを記憶する。
【００９９】
硬貨計数データ３１５ａは、硬貨投入口３２１に投入された硬貨を計数した計数結果を示すデータである。硬貨重量データ３１５ｂは、硬貨計数データ３１５ａに基づいて算出されたデータであって、硬貨投入口３２１に投入された硬貨の重量を示すデータである。配送料テーブル３１５ｃは、店舗１から現金センタ２に硬貨を配送する場合の配送料を算定する際に利用されるテーブルである。保険料テーブル３１５ｄは、店舗１から現金センタ２に硬貨を配送する場合の保険料を算定する際に利用されるテーブルである。計数実績データ３１５ｅは、当該装置で行われた硬貨の計数処理の実績が記録されたデータであり、計数された硬貨の数量、重量、配送料及び保険料等が含まれる。
【０１００】
制御部３１６は、硬貨計数機３００の全体を制御する制御部であり、計数処理部３１６ａ、重量算出処理部３１６ｂ及び手数料算定処理部３１６ｃを有する。実際には、計数処理部３１６ａ、重量算出処理部３１６ｂ及び手数料算定処理部３１６ｃに対応するプログラムを図示しない不揮発性メモリ等に記憶しておき、これらのプログラムをＣＰＵにロードして実行することにより、対応するプロセスを実行させることになる。
【０１０１】
計数処理部３１６ａは、硬貨識別ユニット３３０により硬貨投入口３２１に投入された硬貨の金種識別処理及び真偽判定処理を行い、真正であると判定された硬貨の金種別枚数を計数し、計数結果に応じて硬貨計数データ３１５ａを更新する。また、計数処理部３１６ａは、真正であると判定された硬貨を収納部３５０又は混合金種収納部３５１に収納するよう制御する。また、計数処理部３１６ａ、金種が識別できなかった硬貨及び真正とは判定されなかった硬貨をリジェクト部３４７に搬送するよう制御する。また、計数処理部３１６ａは、硬貨計数データ３１５ａ及び手数料算定処理部３１６ｃにより算定された手数料等の情報を計数実績情報として計数実績データ３１５ｅに登録する。また、計数処理部３１６ａは、手数料算定処理部３１６ｃにより算定された手数料を表示部３１０に表示する。
【０１０２】
重量算出処理部３１６ｂは、硬貨計数データ３１５ａと、硬貨の金種別の１枚当たりの重量とに基づいて硬貨計数データ３１５ａに対応する硬貨の重量を算出し、その算出結果を硬貨重量データ３１５ｂとして記憶部３１５に記憶する。
【０１０３】
手数料算定処理部３１６ｃは、硬貨計数データ３１５ａに基づいて計数された硬貨の金額を算出し、かかる硬貨の金額と保険料テーブル３１５ｄとから保険料を算定する。また、手数料算定処理部３１６ｃは、硬貨重量データ３１５ｂと配送料テーブル３１５ｃとから配送料を算定する。
【０１０４】
次に、実施例２に係る硬貨計数機３００における店舗１から回収された硬貨を現金センタ２に配送する手数料の算定処理の処理手順について説明する。図１５は、硬貨計数機３００における硬貨配送の手数料の算定処理手順を示すフローチャートである。
【０１０５】
計数処理部３１６ａは、硬貨投入口３２１に計数対象の硬貨が投入されると、その硬貨を計数し、計数結果に応じて硬貨計数データ３１５ａを更新する（ステップＳ３０１）。追加で計数する硬貨が有る場合には（ステップＳ３０２；Ｙｅｓ）には、ステップＳ３０１に戻る。追加で計数する硬貨が無い場合には（ステップＳ３０２；Ｎｏ）には、重量算出処理部３１６ｂは、硬貨計数データ３１５ａと、硬貨の金種別の１枚当たりの重量とに基づいて硬貨計数データ３１５ａに対応する硬貨の重量を算出し、その算出結果を硬貨重量データ３１５ｂとして記憶部３１５に記憶する（ステップＳ３０３）。
【０１０６】
手数料算定処理部３１６ｃは、硬貨重量データ３１５ｂと配送料テーブル３１５ｃにより配送料を算定する（ステップＳ３０４）。また、手数料算定処理部３１６ｃは、硬貨計数データ３１５ａに基づいて計数された硬貨の金額を算出し、かかる硬貨の金額と保険料テーブル３１５ｄにより保険料を算定する（ステップＳ３０５）。
【０１０７】
計数処理部３１６ａは、算定された配送料及び保険料を含む手数料を表示部３１０に表示する（ステップＳ３０６）。また、計数処理部３１６ａは、計数された硬貨の金額、計数された硬貨の重量、配送料、保険料及び計数された硬貨の金種別の枚数等を含む計数実績情報を計数実績データ３１５ｅに登録して（ステップＳ３０７）、処理を終了する。
【０１０８】
次に、実施例２に係る紙幣計数機４００の内部構成について説明する。図１６は、紙幣計数機４００を装置側面と平行な面で切断した断面図である。
【０１０９】
紙幣受入口４２１は、計数する紙幣の投入を受け付ける口である。紙幣受入口４２１に投入された紙幣は、１枚ずつ搬送部４３１に繰り出される。搬送部４３１は、その搬送路に識別部４３２を有する。識別部４３２は、搬送部４３１で搬送される紙幣の金種識別及び真偽判定を行う処理部である。搬送部４３１は、識別部４３２の金種識別結果又は真偽判定結果に基づいて、集積部４５０又はリジェクト部４４７の何れかに紙幣を搬送する。
【０１１０】
集積部４５０は、金種に応じて設けられ、識別部４３２で真券であると判定された紙幣を、金種別に収納する部位である。リジェクト部４４７は、識別部４３２で金種の識別ができなかった紙幣や、識別部４３２で真正な紙幣と判定されなかった紙幣が搬送される部位である。
【０１１１】
次に、実施例２に係る紙幣計数機４００の内部構成について説明する。図１７は、紙幣計数機４００の内部構成を示す機能ブロック図である。図１７に示すように、紙幣計数機４００は、表示操作部４１０、紙幣受入口４２１、搬送部４３１、識別部４３２、リジェクト部４４７、集積部４５０、記憶部４１５及び制御部４１６を有する。表示操作部４１０は、タッチパネル式の液晶ディスプレイ等からなり、情報の表示及び入力操作の受け付けを行う装置である。
【０１１２】
記憶部４１５は、ハードディスク装置や不揮発性メモリ等からなる記憶デバイスであり、紙幣計数データ４１５ａ、紙幣重量データ４１５ｂ、配送料テーブル４１５ｃ、保険料テーブル４１５ｄ及び計数実績データ４１５ｅを記憶する。
【０１１３】
紙幣計数データ４１５ａは、紙幣受入口４２１に投入された紙幣を計数した計数結果を示すデータである。紙幣重量データ４１５ｂは、紙幣計数データ４１５ａに基づいて算出されたデータであって、計数された紙幣の重量を示すデータである。配送料テーブル４１５ｃは、店舗１から現金センタ２に紙幣を配送する場合の配送料を算定する際に利用されるテーブルである。保険料テーブル４１５ｄは、店舗１から現金センタ２に紙幣を配送する場合の保険料を算定する際に利用されるテーブルである。計数実績データ４１５ｅは、当該装置で行われた紙幣の計数処理の実績が記録されたデータであり、計数された紙幣の数量、重量、配送料及び保険料等が含まれる。
【０１１４】
制御部４１６は、紙幣計数機４００の全体を制御する制御部であり、計数処理部４１６ａ、重量算出処理部４１６ｂ及び手数料算定処理部４１６ｃを有する。実際には、計数処理部４１６ａ、重量算出処理部４１６ｂ及び手数料算定処理部４１６ｃに対応するプログラムを図示しない不揮発性メモリ等に記憶しておき、これらのプログラムをＣＰＵにロードして実行することにより、対応するプロセスを実行させることになる。
【０１１５】
計数処理部４１６ａは、紙幣受入口４２１に投入された紙幣の金種識別処理及び真偽判定処理を行い、真正であると判定された紙幣の金種別枚数を計数し、計数結果に応じて紙幣計数データ４１５ａを更新する。また、計数処理部４１６ａは、真正であると判定された紙幣を集積部４５０に搬送するよう制御する。また、計数処理部４１６ａは、金種が識別できなかった紙幣及び真正であると判定されない紙幣をリジェクト部４４７に搬送するよう制御する。また、計数処理部４１６ａは、紙幣計数データ４１５ａ及び手数料算定処理部４１６ｃにより算定された手数料等の情報を計数実績情報として計数実績データ４１５ｅに登録する。また、計数処理部４１６ａは、手数料算定処理部４１６ｃにより算定された手数料を表示操作部４１０に表示する。
【０１１６】
重量算出処理部４１６ｂは、紙幣計数データ４１５ａと、紙幣の金種別の１枚当たりの重量とに基づいて紙幣計数データ４１５ａに対応する紙幣の重量を算出し、その算出結果を紙幣重量データ４１５ｂとして記憶部４１５に記憶する。
【０１１７】
手数料算定処理部４１６ｃは、紙幣計数データ４１５ａに基づいて計数された紙幣の金額を算出し、かかる紙幣の金額と保険料テーブル４１５ｄとから保険料を算定する。また、手数料算定処理部４１６ｃは、紙幣重量データ４１５ｂと配送料テーブル４１５ｃとから配送料を算定する。
【０１１８】
次に、実施例２に係る紙幣計数機４００における店舗１から回収された紙幣を現金センタ２に配送する手数料の算定処理手順について説明する。図１８は、紙幣計数機４００における紙幣搬送の手数料の算定処理手順を示すフローチャートである。
【０１１９】
計数処理部４１６ａは、紙幣受入口４２１に紙幣が投入されると、その紙幣を計数し、計数結果に応じて紙幣計数データ４１５ａを更新する（ステップＳ４０１）。追加で計数する紙幣が有る場合には（ステップＳ４０２；Ｙｅｓ）には、ステップＳ４０１に戻る。追加で計数する紙幣が無い場合には（ステップＳ４０２；Ｎｏ）には、重量算出処理部４１６ｂは、紙幣計数データ４１５ａと、紙幣の金種別の１枚当たりの重量とに基づいて紙幣計数データ４１５ａに対応する紙幣の重量を算出し、その算出結果を紙幣重量データ４１５ｂとして記憶部４１５に記憶する（ステップＳ４０３）。
【０１２０】
手数料算定処理部４１６ｃは、紙幣重量データ４１５ｂと配送料テーブル４１５ｃにより配送料を算定する（ステップＳ４０４）。また、手数料算定処理部４１６ｃは、紙幣計数データ４１５ａに基づいて計数された紙幣の金額を算出し、かかる紙幣の金額と保険料テーブル４１５ｄにより保険料を算定する（ステップＳ４０５）。
【０１２１】
計数処理部４１６ａは、算定された配送料及び保険料を含む手数料を表示操作部４１０に表示する（ステップＳ４０６）。また、計数処理部４１６ａは、計数された紙幣の金額、計数された紙幣の重量、配送料、保険料及び計数された紙幣の金種別の枚数等を含む計数実績を計数実績データ４１５ｅに登録して（ステップＳ４０７）、処理を終了する。
【０１２２】
上述してきたように、実施例２では、現金センタ２に配送された貨幣の金種別枚数を計数し、貨幣の金種別の枚数と貨幣の金種別の１枚当たりの重量とに基づいて配送された貨幣の重量を算出し、貨幣の金種別枚数に対応する金額に基づいて保険料を算定し、貨幣の重量に基づいて配送料を算定し、手数料は保険料と配送料に基づいて算定するようにした。かかる構成により、警送会社の担当者が取り扱う貨幣の配送に要する労力に見合った手数料を適正かつ効率良く算定することができる。
【０１２３】
なお、実施例２では、硬貨計数機３００と紙幣計数機４００が別々の装置である場合を説明してきたが、本発明はこれに限定されるものではない。例えば、硬貨計数機３００と紙幣計数機４００が一体となった装置で、計数された紙幣と硬貨の総額に基づいて保険料を算定し、計数された紙幣と硬貨の総重量に基づいて配送料を算定するようにしてもよい。また、例えば、硬貨計数機３００と紙幣計数機４００が別々の装置であっても、硬貨計数機３００で計数された硬貨の金額と重量を紙幣計数機４００に通知して、紙幣計数機４００で紙幣と硬貨の総額に基づいて保険料を算定し、紙幣と硬貨の総重量に基づいて配送料を算定するようにしてもよい。また、紙幣計数機４００から計数された紙幣の金額と重量を硬貨計数機３００に通知するようにしてもよい。また、硬貨計数機３００と紙幣計数機４００以外に管理装置を設け、硬貨計数機３００から計数された硬貨の金額と重量を管理装置に通知して、紙幣計数機４００から計数された紙幣の金額と重量を管理装置に通知し、管理装置で紙幣と硬貨の総額に基づいて保険料を算定し、紙幣と硬貨の総重量に基づいて配送料を算定するようにしてもよい。
【実施例３】
【０１２４】
実施例１及び実施例２では、店舗１から現金センタ２への売上金回収に係る手数料及び保険料を算定する場合について説明した。しかしながら、店舗１と現金センタ２の間で貨幣が配送されるのは売上金の回収ばかりではない。例えば、現金センタ２は、店舗１から釣銭準備金の配送の依頼を受け付けて、これに応じた釣銭準備金を警送会社に依頼して店舗１に搬送する。実施例３では、釣銭準備金の配送に係る手数料及び保険料を算定する場合について説明する。
【０１２５】
まず、実施例３に係る現金センタ２の貨幣依頼受付機５００における釣銭準備金の配送手数料の算定処理の概要について説明する。図１９は、現金センタ２の貨幣依頼受付機５００における釣銭準備金の配送手数料の算定処理の概要を説明するための説明図である。
【０１２６】
店舗１の釣銭準備金の手配を行う担当者は、電話機を用いて現金センタ２の貨幣依頼受付機５００に対応する所定の電話番号に電話して、音声ガイダンスに従って釣銭準備金に係る依頼を行う（Ｓ２１）。貨幣依頼受付機５００は、電話機からの音声による釣銭準備金の配送に係る依頼を受け付けてその内容を依頼明細データ５１５ａとして記憶部に記憶する（Ｓ２２）。貨幣依頼受付機５００は、依頼明細データ５１５ａに基づいて配送を依頼された釣銭準備金の重量を算出し、その算出結果を貨幣重量データ５１５ｂとして記憶部に記憶する（Ｓ２３）。
【０１２７】
また、貨幣依頼受付機５００は、貨幣重量データ５１５ｂに基づいて配送料を算定し（Ｓ２４）、依頼明細データ５１５ａから算出される釣銭準備金の金額に基づいて保険料を算定する（Ｓ２５）。貨幣依頼受付機５００は、このようにして算定された配送料及び保険料を含む手数料と、依頼明細データ５１５ａの内容とが記載された伝票を発行する（Ｓ２６）。
【０１２８】
現金センタ２の担当者は、かかる伝票に基づいて受け付けた依頼に応じた釣銭準備金を準備して警送会社の担当者に渡し、これを受けた警送会社の担当者は受け渡された釣銭準備金を店舗１に搬送する。
【０１２９】
このように、受け付けた釣銭準備金の注文数量と、貨幣の１枚当たりの重量に基づいて注文された釣銭準備金の重量を算出し、かかる重量に基づいて配送料を算定し、受け付けた釣銭準備金の注文数量により算出される釣銭準備金の金額に基づいて保険料を算定し、手数料は保険料と配送料に基づいて算定するようにした。かかる構成により、警送会社等の担当者による貨幣の配送に要する労力に見合う手数料を適正かつ効率良く算定することができる。
【０１３０】
次に、実施例３に係る貨幣依頼受付機５００の内部構成について説明する。図２０は、貨幣依頼受付機５００の内部構成を示す機能ブロック図である。図２０に示すように、貨幣依頼受付機５００は、表示部５１０、操作部５１１、プリンタ部５１２、音声通信部５１３、記憶部５１５及び制御部５１６を有する。
【０１３１】
表示部５１０は、液晶ディスプレイパネル等の表示デバイスである。操作部５１１は、キーボードやマウス等の入力デバイスである。プリンタ部５１２は釣銭準備金の依頼内容を含む伝票等を印刷する出力部である。音声通信部５１３は、電話等の音声通信端末と音声通信するためのインタフェース部である。
【０１３２】
記憶部５１５は、ハードディスク装置や不揮発性メモリ等からなる記憶デバイスであり、依頼明細データ５１５ａ、貨幣重量データ５１５ｂ、配送料テーブル５１５ｃ、保険料テーブル５１５ｄ及び依頼実績データ５１５ｅを記憶する。
【０１３３】
依頼明細データ５１５ａは、店舗から受け付けた釣銭準備金の配送の依頼に係るデータである。貨幣重量データ５１５ｂは、依頼明細データ５１５ａに対応する釣銭準備金の重量を示すデータである。配送料テーブル５１５ｃは、現金センタ２から店舗１へ釣銭準備金を配送する場合の配送料を算定するためのテーブルである。保険料テーブル５１５ｄは、現金センタ２から店舗１へ釣銭準備金を配送する場合の保険料を算定するためのテーブルである。依頼実績データ５１５ｅは、当該装置で受け付けた釣銭準備金の依頼実績が記録されたデータであり、受け付けた依頼毎に釣銭準備金の依頼数量、重量、配送料及び保険料等を含む。
【０１３４】
制御部５１６は、貨幣依頼受付機５００の全体を制御する制御部であり、受付処理部５１６ａ、重量算出処理部５１６ｂ、手数料算定処理部５１６ｃ及び伝票発行処理部５１６ｄを有する。実際には、受付処理部５１６ａ、重量算出処理部５１６ｂ、手数料算定処理部５１６ｃ及び伝票発行処理部５１６ｄに対応するプログラムを図示しない不揮発性メモリ等に記憶しておき、これらのプログラムをＣＰＵにロードして実行することにより、対応するプロセスを実行させることになる。
【０１３５】
受付処理部５１６ａは、音声通信部５１３を介して受け付けた音声による釣銭準備金の配送の依頼を受け付けて、受け付けた内容を依頼明細データ５１５ａとして記憶部５１５に記憶する。また、受付処理部５１６ａは、依頼明細データ５１５ａと、手数料算定処理部５１６ｃにより算定された手数料とを依頼実績データ５１５ｅに登録する。
【０１３６】
重量算出処理部５１６ｂは、依頼明細データ５１５ａと、貨幣の金種別の１枚当たりの重量とに基づいて受け付けた依頼に対する釣銭準備金の重量を算出し、その算出結果を貨幣重量データ５１５ｂとして記憶部５１５に記憶する。
【０１３７】
手数料算定処理部５１６ｃは、依頼明細データ５１５ａに基づいて受け付けた依頼の釣銭準備金の数量に対する金額を算出し、かかる金額と保険料テーブル５１５ｄにより保険料を算定する。また、手数料算定処理部５１６ｃは、貨幣重量データ５１５ｂと配送料テーブル５１５ｃにより配送料を算定する。
【０１３８】
伝票発行処理部５１６ｄは、依頼明細データ５１５ａに記憶された釣銭準備金の依頼内容及び手数料算定処理部５１６ｃにより算定された手数料等の情報等を含む伝票をプリンタ部５１２により発行する。
【０１３９】
次に、実施例３に係る貨幣依頼受付機５００の記憶部５１５に記憶されたデータの一例について説明する。図２１は、貨幣依頼受付機５００の記憶部５１５に記憶されたデータの一例を示す図である。
【０１４０】
図２１（ａ）に示す依頼明細データ５１５ａは、五千円券の枚数、千円券の枚数、５００円棒金の本数、１００円棒金の本数、５０円棒金の本数、１０円棒金の本数、５円棒金の本数及び１円棒金の本数を含む。ここでは、受け付けた釣銭準備金の明細が、五千円券が「１００枚」、千円券が「５００枚」、５００円棒金が「１０本」、１００円棒金が「４０本」、５０円棒金が「１０本」、１０円棒金が「２０本」、５円棒金が「１０本」、１円棒金が「４０本」である状況を示している。
【０１４１】
図２１（ｂ）に示す依頼実績データ５１５ｅは、店舗ＩＤ、合計請求金額、配送料、保険料、配送した釣銭準備金の重量及び受け付けた釣銭準備金の明細である釣銭準備金の金種別数量をオーダ受付日時に関連付けたデータである。合計請求金額は、依頼数量に対する釣銭準備金の金額、配送料及び保険料の合計値である。
【０１４２】
図２１（ｂ）は、依頼を受け付けた日時が「２０１５／１０／１５  ２１：００」に関連付けられた依頼実績データ５１５ｅを図示している。また、店舗ＩＤが「１００」であり、合計請求金額が「４９４４００円」であり、配送料が「２５００円」であり、保険料が「２４００円」であり、受け付けた依頼の釣銭準備金の重量が「２３．５ｋｇ」である状況を示している。また、釣銭準備金の金種別明細が、五千円券が「１００枚」、千円券が「５００枚」、５００円棒金が「１０本」、１００円棒金が「４０本」、５０円棒金が「１０本」、１０円棒金が「２０本」、５円棒金が「１０本」、１円棒金が「４０本」である状況を示している。
【０１４３】
次に、実施例３に係る貨幣依頼受付機５００において発行される釣銭準備金の依頼に係る伝票の内容について説明する。図２２は、貨幣依頼受付機５００において発行される釣銭準備金の依頼に係る伝票の内容を説明するための説明図である。図２２は、図２１（ｂ）に示した依頼実績データ５１５ｅに対応する伝票の一例である。
【０１４４】
図２２に示すように、釣銭準備金の依頼に係る伝票であることを示す「釣銭準備金依頼伝票」の文言が印刷される。また、伝票には、かかる伝票の識別情報として依頼受付日時及び依頼元の店舗名が印刷される。また伝票には、釣銭準備金の金種別の数量と、かかる依頼に応じて算定された配送料、保険料及び合計請求金額が出力される。
【０１４５】
次に、実施例３に係る貨幣依頼受付機５００における釣銭準備金の配送に係る手数料の算定処理手順について説明する。図２３は、貨幣依頼受付機５００における釣銭準備金の配送に係る手数料の算定処理手順を示すフローチャートである。
【０１４６】
受付処理部５１６ａは、音声通信部５１３を介して音声による釣銭準備金の配送の依頼を受け付けたならば、受け付けた内容を依頼明細データ５１５ａとして記憶部５１５に記憶する（ステップＳ５０１）。重量算出処理部５１６ｂは、依頼明細データ５１５ａと、貨幣の金種別の１枚当たりの重量とに基づいて依頼数量に対する釣銭準備金の重量を算出し、その算出結果を貨幣重量データ５１５ｂとして記憶部５１５に記憶する（ステップＳ５０２）。
【０１４７】
手数料算定処理部５１６ｃは、貨幣重量データ５１５ｂと配送料テーブル５１５ｃにより配送料を算定する（ステップＳ５０３）。また、手数料算定処理部５１６ｃは、依頼明細データ５１５ａに基づいて釣銭準備金の金額を算出し、かかる金額と保険料テーブル５１５ｄにより保険料を算定する（ステップＳ５０４）。
【０１４８】
伝票発行処理部５１６ｄは、釣銭準備金の金種別の依頼数量、配送料及び保険料を含む伝票をプリンタ部５１２により発行する（ステップＳ５０５）。また、受付処理部５１６ａは、合計請求金額、釣銭準備金の重量、配送料、保険料及び釣銭準備金の金種別の依頼数量等を含む依頼実績情報を依頼実績データ５１５ｅに登録して（ステップＳ５０６）、処理を終了する。
【０１４９】
上述してきたように、実施例３では、店舗１からの釣銭準備金配送の依頼を受け付けて、受け付けた釣銭準備金の金種別の依頼数量と貨幣の金種別の１枚当たりの重量に基づいて依頼に対応する釣銭準備金の重量を算出し、かかる釣銭準備金の重量に基づいて配送料を算定し、釣銭準備金の金額に基づいて保険料を算定し、手数料は保険料と配送料に基づいて算定するようにした。かかる構成により、警送会社等の担当者による貨幣の配送に要する労力に見合う手数料を適正かつ効率良く算定することができる。
【実施例４】
【０１５０】
実施例３では、現金センタ２から店舗１への釣銭準備金の配送に係る手数料及び保険料を算定する場合について説明してきた。しかしながら、現金センタ２では、釣銭準備金だけではなく、紙幣を結束する帯封や、硬貨を所定枚数単位で包装する包装紙などの用度品も取り扱っており、釣銭準備金の配送の依頼と併せて帯封及び包装紙の注文も受け付けている。また、実際に釣銭準備金、帯封及び包装紙の配送する際には、配送する物の量に応じて配送時に使用する袋の大きさ及び数量を特定している。そこで、実施例４では、現金センタ２で釣銭準備金以外に帯封及び包装紙を扱う場合の手数料及び保険料の算定と、配送に使用する袋の大きさ及び数量の特定を行う場合について説明する。
【０１５１】
まず、実施例４に係る貨幣依頼受付機６００の内部構成について説明する。図２４は、貨幣依頼受付機６００の内部構成を示す機能ブロック図である。図２４に示す貨幣依頼受付機６００のブロック図では、実施例３の貨幣依頼受付機５００と同じ構成要素については同じ符号を付与し、異なる構成要素については新たに採番した符号を付与した。貨幣依頼受付機６００の構成の説明では、実施例３の貨幣依頼受付機５００と同じ符号を付与した構成要素についての説明は省略し、新たに採番した符号を付与した構成要素について主に説明するものとする。
【０１５２】
図２４に示すように、実施例４の貨幣依頼受付機６００は、実施例３の貨幣依頼受付機５００と比較すると、記憶部５１５の依頼明細データ６１５ａ及び依頼実績データ６１５ｅが実施例３の依頼明細データ５１５ａ及び依頼実績データ５１５ｅと差異がある。また、実施例４の貨幣依頼受付機６００の記憶部５１５には、料金テーブル６１５ｆ及び搬送用袋テーブル６１５ｇが追加となっている。
【０１５３】
実施例４では釣銭準備金の配送の依頼に併せて紙幣を結束するための帯封及び硬貨を包装するための包装紙を注文することが可能であり、依頼明細データ６１５ａには帯封及び包装紙の注文内容が含まれる。また、併せて依頼実績データ６１５ｅにも、帯封及び包装紙の注文に係る情報が含まれる。また、料金テーブル６１５ｆは、帯封及び包装紙の注文単位当たりの価格及び重量の情報を含むデータである。
【０１５４】
また、実施例４では、「釣銭準備金」の注文量に応じて搬送用の袋の種類と数を特定して出力する機能、又は、「釣銭準備金、帯封及び包装紙」の注文量に応じて搬送用の袋の種類と数を特定して出力する機能が追加されている。このため、「釣銭準備金」の重量と搬送用の袋の種類及び数とを対応付けるデータ、又は、「釣銭準備金、帯封及び包装紙」の重量と搬送用の袋の種類及び数とを対応付けるデータとして搬送用袋テーブル６１５ｇが追加されている。
【０１５５】
また、実施例４の貨幣依頼受付機６００は、実施例３の貨幣依頼受付機５００と比較すると、制御部５１６の依頼受付処理部６１６ａ、重量算出処理部６１６ｂ及び伝票発行処理部６１６ｅが実施例３の受付処理部５１６ａ、重量算出処理部５１６ｂ及び伝票発行処理部５１６ｄと差異がある。また、実施例４の貨幣依頼受付機６００の制御部５１６には、搬送用袋特定部６１６ｄが追加となっている。
【０１５６】
依頼受付処理部６１６ａは、実施例３の受付処理部５１６ａと比較すると釣銭準備金の配送の依頼以外に帯封及び包装紙の注文を受け付けることができる部分に差異がある。また、依頼受付処理部６１６ａは、これに伴って依頼明細データ６１５ａには受け付けた帯封及び包装紙の注文数量も併せて登録する。また、依頼受付処理部６１６ａは、依頼実績データ６１５ｅにも、帯封及び包装紙の注文に係る情報と、搬送用袋特定部６１６ｄにより特定された搬送用の袋の種類及び数の情報とを追加で登録する。
【０１５７】
重量算出処理部６１６ｂは、釣銭準備金の重量、帯封及び包装紙の合計重量を算出し、算出結果を貨幣重量データ５１５ｂとして記憶部５１５に記憶する。搬送用袋特定部６１６ｄは、貨幣重量データ５１５ｂと、搬送用袋テーブル６１５ｇとにより搬送用の袋の種類及び数を特定する。伝票発行処理部６１６ｅについても、伝票に出力する内容が実施例３の伝票の出力内容とは差異があり、帯封及び包装紙に係る情報と、搬送用袋特定部６１６ｄにより特定された搬送用の袋の種類及び数の情報とを追加で伝票に出力する。
【０１５８】
次に、実施例４に係る貨幣依頼受付機６００の記憶部５１５に記憶されたデータの一例について説明する。図２５及び図２６は、貨幣依頼受付機６００の記憶部５１５に記憶されたデータの一例を示す図である。
【０１５９】
図２５（ａ）に示す依頼明細データ６１５ａは、釣銭準備金の金種別の依頼数量である五千円券の枚数、千円券の枚数、硬貨の金種別棒金の本数、用度品の注文内容である紙幣を結束する帯封のセット数、硬貨を包装する包装紙のセット数を含むデータである。ここでは、釣銭準備金の金種別の依頼数量として五千円券が「１００枚」であり、千円券が「５００枚」であり、５００円貨の棒金が「１０本」であり、１００円貨の棒金が「４０本」であり、５０円貨の棒金が「１０本」であり、１０円貨の棒金が「２０本」であり、５円貨の棒金が「１０本」であり、１円貨の棒金貨が「４０本」である状況を示している。また、用度品の注文内容として紙幣を結束する帯封が「１０セット」であり、硬貨を包装する包装紙が「１０セット」である状況を示している。
【０１６０】
図２５（ｂ）に示す料金テーブル６１５ｆは、紙幣を結束する帯封１セットの重量と価格及び硬貨を包装する包装紙１セットの重量と価格を含む。ここでは、紙幣を結束する帯封１セットの重量が「２０ｇ」であり、価格が「５００円」である状況を示している。また、硬貨を包装する包装紙１セットの重量が「３０ｇ」であり、価格が「５００円」である状況を示している。
【０１６１】
図２５（ｃ）に示す搬送用袋テーブル６１５ｇは、搬送する釣銭準備金等の重量帯と、搬送用袋の種類毎の枚数との対応付けを示すデータである。ここでは、「４ｋｇ」未満の重量は小さい袋「１枚」に対応付けられ、「４ｋｇ」以上「８ｋｇ」未満の重量は小さい袋「２枚」に対応付けられ、「８ｋｇ」以上「１０ｋｇ」未満の重量は大きい袋「１枚」に対応付けられ、「１０ｋｇ」以上「１４ｋｇ」未満の重量は小さい袋「１枚」及び大きい袋「１枚」に対応付けられ、「１４ｋｇ」以上「１８ｋｇ」未満の重量は小さい袋「２枚」及び大きい袋「１枚」に対応付けられている状況を示している。
【０１６２】
図２６に示す依頼実績データ６１５ｅは、店舗ＩＤ、合計請求金額、配送料、保険料、釣銭準備金及び用度品の重量、搬送用袋の種類別の枚数及び釣銭準備金の金種別数量、紙幣を結束する帯封のセット数、硬貨を包装する包装紙のセット数を依頼受付日時に関連付けたデータである。
【０１６３】
図２６には、依頼受付日時が「２０１５／１０／１５  ２１：００」に関連づけられた依頼実績データ６１５ｅを図示している。ここでは、店舗ＩＤが「１００」であり、合計請求金額が「５０４４００円」であり、配送料が「２５００円」であり、保険料が「２４００円」であり、依頼に対応する釣銭準備金と用度品の重量が「２４．０ｋｇ」である状況を示している。また、受け付けた依頼内容により搬送用の袋として小さい袋「２枚」及び大きい袋「２枚」と特定された状況を示している。また、釣銭準備金の金種別数量が、五千円券が「１００枚」であり、千円券が「５００枚」であり、５００円貨の棒金が「１０本」であり、１００円貨の棒金が「４０本」であり、５０円貨の棒金が「１０本」であり、１０円貨の棒金が「２０本」であり、５円貨の棒金が「１０本」であり、１円貨の棒金貨が「４０本」である状況を示している。また、紙幣帯封が「１０セット」であり、硬貨包装紙が「１０セット」である状況を示している。
【０１６４】
次に、実施例４に係る貨幣依頼受付機６００において発行される釣銭準備金の依頼に係る伝票の内容について説明する。図２７は、貨幣依頼受付機６００において発行される釣銭準備金の依頼に係る伝票の内容を説明するための説明図である。図２７の釣銭準備金の依頼に係る伝票の説明では、図２２に示した実施例３の伝票との差異を中心に説明する。
【０１６５】
図２７に示すように、依頼内容明細の領域には、用度品の注文内容である紙幣を結束する帯封の注文数及び硬貨を包装する包装紙の注文数が出力される。また、配送料及び保険料の表示と併せて帯封及び包装紙の用度品代金も出力される。また、かかる依頼の釣銭準備金及び用度品の搬送用に使用する袋の種類及び数も併せて出力される。
【０１６６】
上述してきたように、実施例４では、釣銭準備金の配送時に併せて各種用度品も含めて搬送する場合には、配送する釣銭準備金と用度品の総重量に基づいて配送料を算定するようにしたので、警送会社等の担当者による貨幣の配送に要する労力に見合う手数料を適正かつ効率良く算定することができる。
【実施例５】
【０１６７】
実施例１〜実施例４では、店舗１と現金センタ２の間の貨幣等が配送される都度、手数料及び保険料を算定する場合について説明したが、本発明はこれに限定されるものではない。例えば、所定期間における配送する貨幣等の配送量に応じて手数料及び保険料を算定するようにしてもよい。実施例５では、１ヵ月間の売上金の配送量の合計に応じて１ヵ月間の売上金配送の手数料及び保険料を算定する場合について説明する。
【０１６８】
まず、実施例５に係る硬貨計数機７００の内部構成について説明する。図２８は、硬貨計数機７００の内部構成を示す機能ブロック図である。図２８に示す硬貨計数機７００のブロック図では、実施例２の硬貨計数機３００と同じ構成要素については同じ符号を付与し、異なる構成要素については新たに採番した符号を付与した。硬貨計数機７００の構成の説明では、実施例２の硬貨計数機３００と同じ符号を付与した構成要素についての説明は省略し、新たに採番した符号を付与した構成要素について主に説明するものとする。
【０１６９】
図２８に示すように、実施例５の硬貨計数機７００は、実施例２の硬貨計数機３００と比較すると、記憶部３１５の配送料テーブル７１５ｃ、保険料テーブル７１５ｄ、計数実績データ７１５ｅが、実施例２の配送料テーブル３１５ｃ、保険料テーブル３１５ｄ、計数実績データ３１５ｅと差異が有る。また、実施例２において記憶部３１５に存在した硬貨計数データ３１５ａが実施例５の記憶部３１５には存在しない。また、実施例２において記憶部３１５に存在しなかった月次集計データ７１５ｆが実施例５において追加となっている。
【０１７０】
実施例５の配送料テーブル７１５ｃ及び保険料テーブル７１５ｄのデータ構造は、それぞれ実施例２の配送料テーブル３１５ｃ及び保険料テーブル３１５ｄのデータ構造と同じである。ただし、実施例５では配送料及び保険料は１ヵ月間の貨幣の配送量に対応する料金テーブルとなっている点において実施例２と差異がある。
【０１７１】
実施例２では配送された貨幣を計数する都度手数料を算定したので、計数実績データ３１５ｅには計数実績ごとに算定された手数料を含んでいたが、実施例５では手数料の算定は月次で実施することから計数実績データ７１５ｅには手数料の情報は含まれない。また、実施例５では、月次で手数料を算定するので、１カ月間に計数された貨幣の数量を集計した結果である月次集計データ７１５ｆが追加されている。かかる月次集計データ７１５ｆには、１カ月間に計数された貨幣の数量を集計した結果と、その集計結果に基づいて算定される手数料も含まれる。
【０１７２】
また、実施例５の硬貨計数機７００は、実施例２の硬貨計数機３００と比較すると、制御部３１６の、計数処理部７１６ａ、重量算出処理部７１６ｂ及び手数料算定処理部７１６ｃは、実施例２の計数処理部３１６ａ、重量算出処理部３１６ｂ及び手数料算定処理部３１６ｃと差異が有る。また、実施例５の硬貨計数機７００の制御部３１６には、実施例２の制御部３１６に存在しなかった月次集計処理部７１６ｄが存在する。ここでは、実施例２との差異を中心に説明する。
【０１７３】
計数処理部７１６ａは、計数結果を計数実績データ７１５ｅに登録する。ただし、計数の都度手数料の算定は行わないので、計数実績データ７１５ｅに手数料は含まれない。また、計数処理部７１６ａは、計数の都度手数料の算定は行わないので、計数結果に対する手数料を表示部３１０に表示する処理もない。
【０１７４】
重量算出処理部７１６ｂは、１ヵ月間に配送された硬貨の重量を算出する処理部である。重量算出処理部７１６ｂは、１ヵ月間に配送された硬貨の数量の集計結果である月次集計データ７１５ｆと、硬貨の金種別の１枚当たりの重量とに基づいて１ヵ月間に配送された硬貨の重量を算出し、硬貨重量データ３１５ｂとして記憶部３１５に記憶する。
【０１７５】
手数料算定処理部７１６ｃは、月次集計データ７１５ｆに出力された１ヵ月間に配送された硬貨の数量に対応する金額を算出し、この金額と保険料テーブル７１５ｄとにより１ヵ月間の保険料を算定する。また、手数料算定処理部７１６ｃは、硬貨重量データ３１５ｂと、配送料テーブル７１５ｃとにより１ヵ月間の配送料を算定する。
【０１７６】
月次集計処理部７１６ｄは、計数実績データ７１５ｅの１ヵ月間の計数実績を集計して、その集計結果を月次集計データ７１５ｆに追加する。また、月次集計処理部７１６ｄは、重量算出処理部７１６ｂにより算出された１ヵ月間に配送された硬貨の重量、手数料算定処理部７１６ｃにより算定された保険料及び配送料を月次集計データ７１５ｆの対応するレコードに出力する。
【０１７７】
次に、実施例５に係る硬貨計数機７００の記憶部３１５に記憶されたデータの一例について説明する。図２９は、実施例５に係る硬貨計数機７００の記憶部３１５に記憶されたデータの一例を示す図である。
【０１７８】
図２９（ａ）に示すように、計数実績データ７１５ｅは、回収日時ごとに、店舗ＩＤ、回収金額、回収金種別枚数等を関連付けたデータである。この計数実績データ７１５ｅには、手数料、保険料及び重量が含まれない。
【０１７９】
図２９（ｂ）に示す月次集計データ７１５ｆは、店舗ＩＤ、回収金額、配送料、保険料、配送された硬貨の重量及び回収された硬貨の金種別枚数を集計対象の月に関連付けたデータである。ここでは、集計対象の月が「２０１５／１０」に関連づけられた月次集計データ７１５ｆを図示している。また、店舗ＩＤが「１００」であり、回収金額が「３０４３５００円」であり、配送料が「３２０００円」であり、保険料が「２５０００円」であり、配送した貨幣の重量が「１５９．６ｋｇ」である状況を示している。また、１ヵ月間に回収された金種別の枚数が、５００円貨が「３３００枚」であり、１００円貨が「１０５００枚」であり、５０円貨が「４３５０枚」であり、１０円貨が「９６００枚」であり、５円貨が「３６００枚」であり、１円貨が「１２０００枚」である状況を示している。
【０１８０】
次に、実施例５に係る硬貨計数機７００における店舗１から現金センタ２への硬貨の回収に係る月次の手数料の算定処理手順について説明する。図３０は、硬貨計数機７００における月次の硬貨の回収に係る手数料の算定処理手順を示すフローチャートである。
【０１８１】
月次集計処理部７１６ｄは、月次の集計処理がまだ行われていない店舗１を選択し（ステップＳ６０１）、その店舗１に対応する１カ月分の計数実績データ７１５ｅを集計することにより、その店舗１に対応する１カ月間に配送された硬貨の金種別枚数を集計し、集計結果を月次集計データ７１５ｆに登録する（ステップＳ６０２）。また、重量算出処理部７１６ｂは、集計結果である１カ月間に配送した硬貨の金種別枚数と、硬貨の金種別の１枚当たりの重量とに基づいて、その店舗１に対応する１カ月間に配送された硬貨の重量を算出して、記憶部３１５に硬貨重量データ３１５ｂとして記憶する（ステップＳ６０３）。
【０１８２】
手数料算定処理部７１６ｃは、硬貨重量データ３１５ｂと配送料テーブル７１５ｃとにより配送料を算定し（ステップＳ６０４）、月次集計データ７１５ｆの当該店舗１に対応する硬貨の金種別枚数から算出された硬貨の金額と、保険料テーブル７１５ｄとにより保険料を算定する（ステップＳ６０５）。月次集計処理部７１６ｄは、硬貨重量データ３１５ｂ、配送料及び保険料を月次集計データ７１５ｆの対応するレコードに登録する（ステップＳ６０６）。
【０１８３】
月次の集計処理が行われていない店舗１が有る場合には（ステップＳ６０７；Ｙｅｓ）、ステップＳ６０１に戻る。また、月次の集計処理が行われていない店舗が無い場合には（ステップＳ６０７；Ｎｏ）、処理を終了する。
【０１８４】
なお、具体的な説明は省略するが、紙幣計数機４００における１ヵ月間の紙幣の配送量の合計に応じて、１ヵ月間の紙幣配送の配送料及び保険料を算定する場合についても、同様の構成により実現することができる。この期間は、１ヶ月に限定されるものではなく、２ヶ月や１年等のどのような期間であってもよい。
【０１８５】
上述してきたように、実施例５では、現金センタ２に配送された貨幣の金種別枚数をその都度計数して計数結果を蓄積し、所定の期間に店舗１毎に配送された貨幣の金種別枚数を集計し、その集計結果と貨幣の金種別の枚数と金種別の１枚当たりの重量に基づいて配送された貨幣の重量を算出し、その重量に基づいて所定期間に対応する配送料を算定するようにした。また、その集計結果の貨幣の金種別枚数により１ヶ月人に配送された貨幣の金額を算出し、この金額に基づいて所定期間に対応する保険料を算定するようにした。かかる構成により、警送会社等の担当者による貨幣の配送に要する労力に見合う手数料を適正かつ効率良く算定することができる。
【実施例６】
【０１８６】
実施例１〜５では、店舗１毎に売上金及び釣銭準備金等の配送の手数料及び保険料を算定する場合について説明してきた。しかしながら、所定の範囲内に同一企業の複数の店舗１が存在する場合があり、このような場合には複数の店舗１の貨幣の配送量の合計に応じて配送に係る手数料及び保険料の算定を行うようにしてもよい。実施例６では、複数の店舗１から回収する売上金の貨幣量の合計に応じて手数料及び保険料を算定する場合について説明する。
【０１８７】
まず、実施例６に係る硬貨計数機８００の内部構成について説明する。図３１は、硬貨計数機８００の内部構成を示す機能ブロック図である。図３１に示す硬貨計数機８００のブロック図では、実施例２の硬貨計数機３００と同じ構成要素については同じ符号を付与し、異なる構成要素については新たに採番した符号を付与した。硬貨計数機８００の構成の説明では、実施例２の硬貨計数機３００と同じ符号を付与した構成要素についての説明は省略し、新たに採番した符号を付与した構成要素について主に説明するものとする。
【０１８８】
図３１に示すように、実施例６の硬貨計数機８００は、実施例２の硬貨計数機３００と比較すると、記憶部３１５の計数実績データ８１５ｅが実施例２の計数実績データ３１５ｅと差異が有る。また、実施例２において記憶部３１５に存在した硬貨計数データ３１５ａが実施例６の記憶部３１５には存在しない。また、実施例２において記憶部３１５に存在しなかったグループ集計データ８１５ｆが実施例６では追加となっている。
【０１８９】
実施例２では搬送された貨幣を計数する都度手数料を算定したので、計数実績データ３１５ｅには計数実績ごとに算定された手数料を含んでいたが、実施例６では手数料の算定はグループ単位で実施することから、計数実績データ８１５ｅには手数料の情報は含まれない。また、実施例６では、グループ単位で手数料を算定するので、グループ毎に配送された貨幣の数量を集計した結果であるグループ集計データ８１５ｆが追加されている。かかるグループ集計データ８１５ｆには、同一のグループに属する店舗１から配送された貨幣の数量を集計した結果と、その集計結果に基づいて算定される手数料も含まれる。
【０１９０】
また、実施例６の硬貨計数機８００は、実施例２の硬貨計数機３００と比較すると、制御部３１６の、計数処理部８１６ａ、重量算出処理部８１６ｂ及び手数料算定処理部８１６ｃは、実施例２の計数処理部３１６ａ、重量算出処理部３１６ｂ及び手数料算定処理部３１６ｃと差異が有る。また、実施例６の硬貨計数機８００の制御部３１６には、実施例２の制御部３１６に存在しなかったグループ集計処理部８１６ｄが存在する。ここでは、実施例２との差異を中心に説明する。
【０１９１】
計数処理部８１６ａは、計数結果を計数実績データ８１５ｅに登録する。ただし、計数の都度手数料の算定は行わないので、計数実績データ８１５ｅに手数料は含まれない。また、計数処理部８１６ａは、計数の都度手数料の算定は行わないので、計数結果に対する手数料を表示部３１０に表示する処理もない。
【０１９２】
重量算出処理部８１６ｂは、同一グループに含まれる店舗１から配送された硬貨の重量を算出する処理部である。重量算出処理部８１６ｂは、同一グループに含まれる店舗１から配送された硬貨の数量の集計結果であるグループ集計データ８１５ｆと、硬貨の金種別の１枚当たりの重量とに基づいて同一グループに含まれる店舗１から配送された硬貨の重量を算出し、硬貨重量データ３１５ｂとして記憶部３１５に記憶する。
【０１９３】
手数料算定処理部８１６ｃは、グループ集計データ８１５ｆの同一グループに含まれる店舗１から配送された硬貨の数量に対する金額を算出し、その算出結果と保険料テーブル３１５ｄとによりグループに対する保険料を算定する。また、手数料算定処理部８１６ｃは、硬貨重量データ３１５ｂと、配送料テーブル３１５ｃとによりグループの配送料を算定する。
【０１９４】
グループ集計処理部８１６ｄは、計数実績データ８１５ｅのグループ毎の計数実績を集計して、その集計結果をグループ集計データ８１５ｆに追加する。また、グループ集計処理部８１６ｄは、重量算出処理部８１６ｂにより算出された同一グループに含まれる店舗１から配送された硬貨の重量、手数料算定処理部８１６ｃにより算定された保険料及び配送料をグループ集計データ８１５ｆの対応するレコードに出力する。
【０１９５】
次に、実施例６に係る硬貨計数機８００の記憶部３１５に記憶されたデータの一例について説明する。図３２は、硬貨計数機８００の記憶部３１５に記憶されたデータの一例を示す図である。
【０１９６】
図３２（ａ）に示すように、計数実績データ８１５ｅは、回収日時ごとに、店舗ＩＤ、グループＩＤ、回収金額、回収金種別枚数等を関連付けたデータである。この計数実績データ７１５ｅには、手数料、保険料及び重量が含まれない。
【０１９７】
図３２（ｂ）に示すグループ集計データ８１５ｆは、回収金額、配送料、保険料、配送した硬貨の重量及び回収した硬貨の金種別枚数を集計対象日付及びグループＩＤに関連付けたデータである。図３２（ｂ）には、集計対象日付が「２０１５／１０／１５」及びグループＩＤ「１５０」に関連づけられたグループ集計データ８１５ｆを図示している。ここでは、回収金額が「１２１７４００円」であり、配送料が「１８０００円」であり、保険料が「１１０００円」であり、配送した貨幣の重量が「６３．８ｋｇ」である状況を示している。また、当該グループに含まれる店舗１から回収された金種別の枚数が、５００円貨が「１３２０枚」であり、１００円貨が「４２００枚」であり、５０円貨が「１７４０枚」であり、１０円貨が「３８４０枚」であり、５円貨が「１４４０枚」であり、１円貨が「４８００枚」である状況を示している。
【０１９８】
次に、実施例６に係る硬貨計数機８００における店舗１から現金センタ２への硬貨の回収に係るグループ毎の手数料の算定処理手順について説明する。図３３は、硬貨計数機８００におけるグループ毎の硬貨の回収に係る手数料の算定処理手順を示すフローチャートである。
【０１９９】
グループ集計処理部８１６ｄは、集計処理がまだ行われていないグループを選択し（ステップＳ７０１）、そのグループに含まれる店舗１の計数実績データ８１５ｅを集計することにより、そのグループに含まれる店舗１から配送されたに硬貨の金種別枚数を集計し、その集計結果をグループ集計データ８１５ｆに登録する（ステップＳ７０２）。また、重量算出処理部８１６ｂは、集計結果であるグループに対応する店舗１から現金センタ２に配送された硬貨の金種別枚数と、硬貨の金種別の１枚当たりの重量とに基づいて、そのグループに含まれる店舗１から現金センタ２に配送された硬貨の重量を算出して、記憶部３１５に硬貨重量データ３１５ｂとして記憶する（ステップＳ７０３）。
【０２００】
手数料算定処理部８１６ｃは、硬貨重量データ３１５ｂと配送料テーブル３１５ｃとにより配送料を算定し（ステップＳ７０４）、グループ集計データ８１５ｆの当該グループに対応する硬貨の金種別枚数から算出された硬貨の金額と、保険料テーブル７１５ｄとにより保険料を算定する（ステップＳ７０５）。グループ集計処理部８１６ｄは、硬貨重量データ３１５ｂ、配送料及び保険料をグループ集計データ８１５ｆの対応するレコードに登録する（ステップＳ７０６）。
【０２０１】
集計処理が行われていないグループが有る場合には（ステップＳ７０７；Ｙｅｓ）、ステップＳ７０１に戻る。また、集計処理が行われていないグループが無い場合には（ステップＳ７０７；Ｎｏ）、処理を終了する。
【０２０２】
なお、具体的な説明は省略するが、紙幣計数機４００におけるグループごとの紙幣の配送料の合計に応じて、グループの紙幣配送の配送料及び保険料を算定する場合についても、同様の構成により実現することができる。
【０２０３】
上述してきたように、実施例６では、現金センタ２に配送された貨幣の金種別枚数をその都度計数して計数結果を蓄積し、複数の店舗１で構成されるグループ毎に配送された貨幣の金種別枚数を集計し、この集計結果と金種別の１枚当たりの重量に基づいて配送された貨幣の合計の重量を算出し、かかる重量に基づいてグループに対する配送料を算定するようにした。また、この集計結果の貨幣の金種別枚数によりこのグループに属する店舗１から配送された貨幣の金額を算出し、この金額に基づいてグループに対する保険料を算定するようにした。かかる構成により、警送会社等の担当者による貨幣の配送に要する労力に見合う手数料を適正かつ効率良く算定することができる。
【０２０４】
なお、実施例２、５、６では、硬貨計数機３００、７００、８００と紙幣計数機４００が別々の装置である場合を説明してきたが、本発明はこれに限定されるものではない。例えば、硬貨計数機３００、７００、８００と紙幣計数機４００が一体となった装置で、計数された紙幣と硬貨の総額に基づいて保険料を算定し、計数された紙幣と硬貨の総重量に基づいて配送料を算定するようにしてもよい。また、例えば、硬貨計数機３００、７００、８００と紙幣計数機４００が別々の装置であっても、硬貨計数機３００、７００、８００から計数された硬貨の金額と重量を紙幣計数機４００に通知して、紙幣計数機４００で計数された紙幣と硬貨の総額に基づいて保険料を算定し、計数された紙幣と硬貨の総重量に基づいて配送料を算定するようにしてもよい。また、紙幣計数機４００から計数された紙幣の金額と重量を硬貨計数機３００、７００、８００に通知するようにしてもよい。また、硬貨計数機３００、７００、８００及び紙幣計数機４００以外に管理装置を設け、硬貨計数機３００、７００、８００で計数された硬貨の金額と重量を管理装置に通知して、紙幣計数機４００で計数された紙幣の金額と重量を管理装置に通知し、管理装置で通知された硬貨の総額に基づいて保険料を算定し、通知された紙幣と硬貨の総重量に基づいて配送料を算定するようにしてもよい。
【０２０５】
また、上述の実施例１〜６で図示した各構成は機能概略的なものであり、必ずしも物理的に図示の構成をされていることを要しない。すなわち、各装置の分散・統合の形態は図示のものに限られず、その全部又は一部を各種の負荷や使用状況等に応じて、任意の単位で機能的又は物理的に分散・統合して構成することができる。
【産業上の利用可能性】
【０２０６】
以上のように、本発明に係る貨幣処理装置、手数料算定装置、貨幣処理方法及び手数料算定方法は、警送会社等の担当者による貨幣の配送に要する労力に見合う手数料を適正かつ効率良く算定することに適している。
【符号の説明】
【０２０７】
１  店舗
２  現金センタ
３  売上金入金機
４  貨幣計数機
１００  硬貨入金機
１１０、２１０、４１０  表示操作部
１１５、２１５、３１５、４１５、５１５  記憶部
１１５ａ  硬貨在高データ
１１５ｂ  硬貨回収データ
１１５ｃ、３１５ｂ  硬貨重量データ
１１５ｄ、２１５ｄ、３１５ｃ、４１５ｃ、５１５ｃ、７１５ｃ  配送料テーブル
１１５ｅ、２１５ｅ、３１５ｄ、４１５ｄ、５１５ｄ、７１５ｄ  保険料テーブル
１１５ｆ、２１５ｆ  回収実績データ
１１６、２１６、３１６、４１６、５１６  制御部
１１６ａ、２１６ａ  入金処理部
１１６ｂ、２１６ｂ  回収処理部
１１６ｃ、２１６ｃ  手数料状況表示部
１１６ｄ、２１６ｄ、３１６ｃ、４１６ｃ、５１６ｃ、７１６ｃ、８１６ｃ  手数料算定処理部
１２０  貯留繰出部
１２１  硬貨受入口
１２２、１５２  回転円盤
１３０、３３０  硬貨識別ユニット
１３１、２３１、４３１  搬送部
１３２、２３２、４３２  識別部
１３３、３３２  選別部
１３９、１４９、１５９、３３７、３３８、３３９、３４８、３４９  シュート
１４０、３４０、３４１  一時保留部
１４３  底部
１４６  オーバーフロー部
１４７、２２６、３４７、４４７  リジェクト部
１４８  返却部
１５０、２５０  収納繰出部
１７０  回収ボックス
１７１、２７１  重量センサ
１７２  ドロア
２００  紙幣入金機
２１５ａ  紙幣在高データ
２１５ｂ  紙幣回収データ
２１５ｃ、４１５ｂ  紙幣重量データ
２２１、４２１  紙幣受入口
２４６  リジェクトボックス
２４７  出金取出口
２５１、３５０  収納部
３００、７００、８００  硬貨計数機
３１０、５１０  表示部
３１１、５１１  操作部
３１２、５１２  プリンタ部
３１５ａ  硬貨計数データ
３１５ｅ、４１５ｅ、７１５ｅ、８１５ｅ  計数実績データ
３１６ａ、４１６ａ、７１６ａ、８１６ａ  計数処理部
３１６ｂ、４１６ｂ、５１６ｂ、６１６ｂ、７１６ｂ、８１６ｂ  重量算出処理部
３２１  硬貨投入口
３４２  底板
３５１  混合金種収納部
４００  紙幣計数機
４１５ａ  紙幣計数データ
４５０  集積部
５００、６００  貨幣依頼受付機
５１３  音声通信部
５１５ａ、６１５ａ  依頼明細データ
５１５ｂ  貨幣重量データ
５１５ｅ、６１５ｅ  依頼実績データ
５１６ａ  受付処理部
５１６ｄ、６１６ｅ  伝票発行処理部
６１５ｆ  料金テーブル
６１５ｇ  搬送用袋テーブル
６１６ａ  依頼受付処理部
６１６ｄ  搬送用袋特定部
７１５ｆ  月次集計データ
７１６ｄ  月次集計処理部
８１５ｆ  グループ集計データ
８１６ｄ  グループ集計処理部
【図１】
0006630150.tif 000002
【図２】
0006630150.tif 000003
【図３】
0006630150.tif 000004
【図４】
0006630150.tif 000005
【図５】
0006630150.tif 000006
【図６】
0006630150.tif 000007
【図７】
0006630150.tif 000008
【図８】
0006630150.tif 000009
【図９】
0006630150.tif 000010
【図１０】
0006630150.tif 000011
【図１１】
0006630150.tif 000012
【図１２】
0006630150.tif 000013
【図１３】
0006630150.tif 000014
【図１４】
0006630150.tif 000015
【図１５】
0006630150.tif 000016
【図１６】
0006630150.tif 000017
【図１７】
0006630150.tif 000018
【図１８】
0006630150.tif 000019
【図１９】
0006630150.tif 000020
【図２０】
0006630150.tif 000021
【図２１】
0006630150.tif 000022
【図２２】
0006630150.tif 000023
【図２３】
0006630150.tif 000024
【図２４】
0006630150.tif 000025
【図２５】
0006630150.tif 000026
【図２６】
0006630150.tif 000027
【図２７】
0006630150.tif 000028
【図２８】
0006630150.tif 000029
【図２９】
0006630150.tif 000030
【図３０】
0006630150.tif 000031
【図３１】
0006630150.tif 000032
【図３２】
0006630150.tif 000033
【図３３】
0006630150.tif 000034